(57)【特許請求の範囲】
【請求項１】
可動体を姿勢変位させる可動演出装置を備える遊技機であって、
前記可動演出装置は、
装置本体に設けられ、初期位置および該初期位置から離間した移動位置の間を移動可能な支持体と、
前記支持体に支持され、該支持体に対して初期姿勢および移動姿勢の間を姿勢変位可能な可動体と、
前記支持体を前記初期位置および移動位置の間で移動させると共に、前記可動体を前記初期姿勢および移動姿勢の間で姿勢変位させる駆動手段と、
前記可動体を前記駆動手段に連係させて、該可動体を動作させる動力伝達手段と、
前記駆動手段により駆動されて前記支持体が移動中は、前記動力伝達手段からの動力の伝達を規制して前記可動体を前記初期姿勢に保持し、前記支持体が前記移動位置で停止中は、前記動力伝達手段からの動力伝達を許容して前記可動体の姿勢を変位させる動力断続手段とを備え、
前記支持体は、長手方向の一端部が、前記装置本体に対して遊技機の左右方向に延在する軸回りに回転自在に支持されて、長手方向の他端部が上下方向に移動するように回転して、該長手方向の他端部が前記装置本体より前側に位置する前記初期位置および該長手方向の他端部が前記装置本体の下側に位置する前記移動位置の間を移動するよう構成され、
前記可動体は、前記支持体の前記初期位置において上下方向に延在する前記初期姿勢に保持されると共に、該初期姿勢における下端部が前記支持体の長手方向の他端部に対して遊技機の左右方向に延在する軸回りに回転自在に支持されて、該可動体は、前記左右方向に延在する軸回りに回転して前記初期姿勢および移動姿勢の間を姿勢変位するよう構成した
ことを特徴とする遊技機。
【請求項２】
前記可動体は、第１装飾部材および第２装飾部材を、裏面を対向するように組み付けることで構成されると共に、
前記可動体は、前記初期姿勢でかつ前記支持体の前記初期位置では前記第１装飾部材の表面が前方を向き、前記移動姿勢でかつ前記支持体の前記移動位置では前記第２装飾部材の表面が前方を向くよう構成され、
前記第１装飾部材および第２装飾部材の夫々は、表面に所要のデザインが施されると共に光透過性であって、両装飾部材で画成される空間に発光基板が配設されると共に、該発光基板における各装飾部材の裏面に対向する面の夫々にＬＥＤが配設されて、各ＬＥＤを発光することで対応する装飾部材を明輝させるよう構成した請求項１記載の遊技機。
【請求項３】
前記動力断続手段は、
前記支持体に設けられ、該支持体の前記初期位置および移動位置の間での移動に基づいて伝達規制姿勢および伝達許容姿勢に姿勢変位する動力断続部材と、
前記動力断続部材に設けられた第１係止部と、
前記動力伝達手段に設けられ、前記支持体の移動中に前記伝達規制姿勢となっている動力断続部材の第１係止部に係止し、また前記支持体が前記移動位置で停止中は前記伝達許容姿勢となっている動力断続部材の第１係止部との係止を解除する第２係止部とを備え、
前記動力伝達手段は、前記駆動手段に連係する主動ギアと、前記可動体に連係する従動ギアと、該主動ギアと従動ギアとを連係すると共に前記第２係止部が設けられた中間ギアとを備え、
前記第１係止部と第２係止部との係止状態で前記従動ギアへの前記駆動手段からの動力の伝達を規制し、前記第１係止部と第２係止部との係止を解除することで前記従動ギアへの前記駆動手段からの動力伝達を許容するよう構成した請求項１または２記載の遊技機。
【発明の詳細な説明】
【技術分野】
【０００１】
この発明は、可動体を姿勢変位させる可動演出装置を備える遊技機に関するものである。
【背景技術】
【０００２】
代表的な遊技機であるパチンコ機は、遊技盤の前側に画成した遊技領域の略中央位置に枠状の枠状装飾部材(所謂センター役物)が配設されており、この枠状装飾部材の開口部を介して複数の図柄を変動表示して図柄変動演出を行う液晶式やドラム式等の図柄表示装置を後方から臨ませると共に、該遊技盤における枠状装飾部材の下方位置に、パチンコ球(遊技球)の入賞により図柄表示装置での変動を開始させる始動入賞装置や当り時に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出される。また、前記図柄表示装置での図柄変動演出に伴うリーチ演出等の各種の遊技演出がなされ、該図柄表示装置に図柄が所定の組合わせで停止することにより所謂当りが発生し、前記特別入賞装置が開放して多数の賞球を獲得し得るよう構成される。
【０００３】
またパチンコ機では、可動体を姿勢変位させる可動演出装置を備えたものがある(例えば、特許文献１参照)。このようなパチンコ機は、図柄表示装置での図柄変動演出に伴うリーチ予告時、リーチ発生時、当り予告時、当り発生時等に合わせて可動演出装置の可動体を動作する演出を行うことで、視覚的な演出効果を高めて遊技の興趣の向上を図っている。
【先行技術文献】
【特許文献】
【０００４】
【特許文献１】特開２００７−１５９７５２号公報
【発明の概要】
【発明が解決しようとする課題】
【０００５】
ところで、特許文献１のパチンコ機に設けられた可動演出装置は、回転可能に支持された可動体としてのハンマー部材が、駆動手段としてのソレノイドの駆動により、前方へ水平に延出した初期位置および下方へ延出した移動位置の間を上下方向で回転して姿勢変位するよう構成されている。しかし、特許文献１の可動演出装置は、ハンマー部材が上下方向へ往復回転する単調な動作をするだけであるため、該ハンマー部材が動作しても視覚的な演出効果を高めるには限界があり、遊技の興趣の向上を十分に図り得ない。
【０００６】
本発明は、従来の遊技機に内在する前記課題に鑑み、これを好適に解決するべく提案されたものであって、可動体が複雑に動くことで視覚的な演出効果を高め、遊技の興趣の向上を図った遊技機を提供することを目的とする。
【課題を解決するための手段】
【０００７】
前記課題を克服し、所期の目的を達成するため、本願の請求項１に係る発明は、可動体(101)を姿勢変位させる可動演出装置(100)を備える遊技機であって、
前記可動演出装置(100)は、
装置本体(103)に設けられ、初期位置および該初期位置から離間した移動位置の間を移動可能な支持体(106,107)と、
前記支持体(106,107)に支持され、該支持体(106,107)に対して初期姿勢および移動姿勢の間を姿勢変位可能な可動体(101)と、
前記支持体(106,107)を前記初期位置および移動位置の間で移動させると共に、前記可動体(101)を前記初期姿勢および移動姿勢の間で姿勢変位させる駆動手段(175)と、
前記可動体(101)を前記駆動手段(175)に連係させて、該可動体(101)を動作させる動力伝達手段(104)と、
前記駆動手段(175)により駆動されて前記支持体(106,107)が移動中は、前記動力伝達手段(104)からの動力の伝達を規制して前記可動体(101)を前記初期姿勢に保持し、前記支持体(106,107)が前記移動位置で停止中は、前記動力伝達手段(104)からの動力伝達を許容して前記可動体(101)の姿勢を変位させる動力断続手段(190)とを備え、
前記支持体(106,107)は、長手方向の一端部が、前記装置本体(103)に対して遊技機の左右方向に延在する軸回りに回転自在に支持されて、長手方向の他端部が上下方向に移動するように回転して、該長手方向の他端部が前記装置本体(103)より前側に位置する前記初期位置および該長手方向の他端部が前記装置本体(103)の下側に位置する前記移動位置の間を移動するよう構成され、
前記可動体(101)は、前記支持体(106,107)の前記初期位置において上下方向に延在する前記初期姿勢に保持されると共に、該初期姿勢における下端部が前記支持体(106,107)の長手方向の他端部に対して遊技機の左右方向に延在する軸回りに回転自在に支持されて、該可動体(101)は、前記左右方向に延在する軸回りに回転して前記初期姿勢および移動姿勢の間を姿勢変位するよう構成したことを要旨とする。
【０００８】
請求項１に係る発明によれば、支持体に支持された可動体が、装置本体に対する該支持体の移動に伴って位置変位すると共に、該支持体に対して姿勢変位するよう構成されているので、該可動体の動きが複雑になって視覚的な演出効果が高められ、遊技の興趣の向上を図り得る。しかも、動力伝達手段による動力の伝達を規制または許容する動力断続手段を備えることにより、１つの駆動手段の駆動により、支持体が初期位置から移動位置へ移動した後に可動体が初期姿勢から移動姿勢へ姿勢変位させたり、可動体が移動姿勢から初期姿勢に姿勢変位した後に支持体が移動位置から初期位置へ移動させ得るので、可動体が変化に富む動きをするようになり演出効果が高められる。
【０００９】
請求項２に係る発明では、
前記可動体(101)は、第１装飾部材(165)および第２装飾部材(166)を、裏面を対向するように組み付けることで構成されると共に、
前記可動体(101)は、前記初期姿勢でかつ前記支持体(106,107)の前記初期位置では前記第１装飾部材(165)の表面が前方を向き、前記移動姿勢でかつ前記支持体(106,107)の前記移動位置では前記第２装飾部材(166)の表面が前方を向くよう構成され、
前記第１装飾部材(165)および第２装飾部材(166)の夫々は、表面に所要のデザインが施されると共に光透過性であって、両装飾部材(165,166)で画成される空間に発光基板(167)が配設されると共に、該発光基板(167)における各装飾部材(165,166)の裏面に対向する面(167a,167b)の夫々にＬＥＤ(170a,170b)が配設されて、各ＬＥＤ(170a,170b)を発光することで対応する装飾部材(165,166)を明輝させるよう構成したことを要旨とする。
【００１０】
請求項３に係る発明では、
前記動力断続手段(190)は、
前記支持体(106)に設けられ、該支持体(106)の前記初期位置および移動位置の間での移動に基づいて伝達規制姿勢および伝達許容姿勢に姿勢変位する動力断続部材(191)と、
前記動力断続部材(191)に設けられた第１係止部(194)と、
前記動力伝達手段(104)に設けられ、前記支持体(106,107)の移動中に前記伝達規制姿勢となっている動力断続部材(191)の第１係止部(194)に係止し、また前記支持体(106,107)が前記移動位置で停止中は前記伝達許容姿勢となっている動力断続部材(191)の第１係止部(194)との係止を解除する第２係止部(188)とを備え、
前記動力伝達手段(104)は、前記駆動手段(175)に連係する主動ギア(181)と、前記可動体(101)に連係する従動ギア(187)と、該主動ギア(181)と従動ギア(187)とを連係すると共に前記第２係止部(188)が設けられた中間ギア(183)とを備え、
前記第１係止部(194)と第２係止部(188)との係止状態で前記従動ギア(187)への前記駆動手段(175)からの動力の伝達を規制し、前記第１係止部(194)と第２係止部(188)との係止を解除することで前記従動ギア(187)への前記駆動手段(175)からの動力伝達を許容するよう構成したことを要旨とする。
請求項３に係る発明によれば、支持体に設けられた第１係止部と動力伝達手段に設けられた第２係止部とが係止することで、動力伝達手段による動力の伝達が規制されて支持体に対して可動体を初期姿勢に保持させ得る。また、支持体に設けられた第１係止部と動力伝達手段に設けられた第２係止部との係止が解除することで、動力伝達手段による動力の伝達が許容されて支持体に対して可動体の姿勢変位を可能とし得る。
本願には、次のような技術的思想が含まれている。
前記支持体(106,107)が前記初期位置にある場合に第１被検出部(160)を検出する第１位置検出手段(241)と、
前記可動体(101)が前記初期姿勢にある場合に第２被検出部(189)を検出する第２位置検出手段(242)とを備えたことを要旨とする。
この構成によれば、第１位置検出手段により、支持体を初期位置に適切に停止させることができる。また、第２位置検出手段により、可動体を初期姿勢に適切に停止させることができる。
【発明の効果】
【００１１】
本発明に係る遊技機によれば、移動する支持体に対して可動体を姿勢変位可能に配設したことで、該可動体が複雑に動いて視覚的な演出効果が高められ、遊技の興趣の向上を図り得る。
【図面の簡単な説明】
【００１２】
【図１】実施例のパチンコ機の正面図である。
【図２】可動演出装置が初期状態となっている実施例の遊技盤を示す正面図である。
【図３】可動演出装置および図柄表示装置を配設した設置部材を後側に取り付けた遊技盤の右側面図である。
【図４】可動演出装置が動作状態となっている遊技盤を、下側を省略して示す部分正面図である。
【図５】(ａ)は、初期状態の可動演出装置を前方右斜め上方から見た斜視図であり、(ｂ)は、初期状態の可動演出装置を後方右斜め上方から見た斜視図である。
【図６】(ａ)は、第１可動体を支持する支持体が初期位置から移動位置へ移動途中の可動演出装置を前方右斜め上方から見た斜視図であり、(ｂ)は、第１可動体が第１初期姿勢から第１移動姿勢となると共に支持体が移動位置に停止した動作状態の可動演出装置を前方右斜め上方から見た斜視図である。
【図７】(ａ)は、第１可動体が第１初期姿勢でかつ第２可動体が第２初期姿勢である初期状態の可動演出装置を示す右側面図であり、(ｂ)は、第２可動体が第２移動姿勢でかつ支持体が移動途中の可動演出装置を示す右側面図であり、(ｃ)は、第１可動体が第１移動姿勢でかつ支持体が移動位置に停止した可動演出装置を示す右側面図である。
【図８】支持体を移動させると共に第１可動体を姿勢変位させる第１作動機構の構成、および保持部材と第２可動体を姿勢変位させる第２作動機構の構成を示す斜視図である。
【図９】(ａ)は、保持部材と第２可動体との連係構成を断面状態で示す可動演出装置の縦断側面図であり、(ｂ)は、第１作動機構の構成を断面状態で示す可動演出装置の縦断側面図である。
【図１０】(ａ)は、動力断続機構の構成を前方左斜め上方から見た状態で示す分解斜視図であり、(ｂ)は、動力断続構造の構成を後方右斜め上方から見た状態で示す分解斜視図である。
【図１１】支持体が初期位置にある場合に、動力断続部材が伝達規制姿勢に保持されて伝達規制状態となることを示す説明断面図である。
【図１２】支持体が移動位置にある場合に、動力断続部材が伝達許容姿勢に姿勢変位して伝達許容状態となることを示す説明断面図である。
【図１３】(ａ)は、作動部材のカム部が第１姿勢の場合に、保持部材が保持姿勢に保持されると共に第２可動体が第２初期姿勢に保持されることを示す説明図であり、(ｂ)は、作動部材のカム部が第２姿勢に姿勢変位した場合に、保持部材が解除姿勢に姿勢変位すると共に第２可動体が第２移動姿勢に姿勢変位することを示す説明図である。
【図１４】(ａ)は、保持部材が保持姿勢となり、該保持部材に設けられた第１規制凹部と初期位置の支持体に設けられた規制ピンとが係合した状態を示す説明断面図であり、(ｂ)は、保持部材が解除姿勢に姿勢変位して、該保持部材に設けられた第１規制凹部と初期位置の支持体に設けられた規制ピンとの係合が解除された状態を示す説明断面図である。
【図１５】後フレーム部材に取り付けられる作動機構取付台、左右の支持体、第１可動体および第１作動機構を、各構成部材を分離して前方左斜め上方から見た分解斜視図である。
【図１６】装置本体、第２可動体、左右の保持部材および第２作動機構を、各構成部材を分離して前方左斜め上方から見た分解斜視図である。
【図１７】実施例のパチンコ機の制御構成を示すブロック図である。
【発明を実施するための形態】
【００１３】
次に、本発明に係る遊技機につき、好適な実施例を挙げて、添付図面を参照しながら以下詳細に説明する。なお、実施例では、遊技機として、遊技媒体としてパチンコ球を用いて遊技を行うパチンコ機を例に挙げて説明する。また、以下の説明において、「前」、「後」、「左」、「右」とは、特に説明がなければ、図１に示すようにパチンコ機１０を前側(遊技者側)から見た状態で指称する。
【実施例】
【００１４】
(パチンコ機１０について)
実施例に係るパチンコ機１０は、図１に示すように、前後に開口する矩形枠状に形成されて遊技店の図示しない設置枠台に固定される固定枠としての外枠１１の開口前面側に、後述する遊技盤２０(図２、図３参照)を着脱可能に保持する本体枠としての中枠１２が開閉および着脱可能に組み付けられている。また、中枠１２の前面側には、遊技盤２０を透視保護するガラス板等の透視保護体１３ａを備えた装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。また、中枠１２の右下方位置には、該中枠１２に配設された打球発射装置(図示せず)を作動する操作ハンドル１６が設けられており、該操作ハンドル１６の操作により打球発射装置が作動することで、上球受け皿１４に貯留されたパチンコ球が遊技盤２０に向けて発射されるようになっている。なお、上球受け皿１４は、前枠１３と別体に形成して中枠１２に対して開閉可能に組み付けるようにしてもよく、また上下の球受け皿の一方を省略して１つの球受け皿のみ設ける構成であってもよい。
【００１５】
（中枠）
前記中枠１２は、図１に示すように、上縁をなす上枠部と、下縁をなして打球発射装置等が設置された下枠部と、左側縁をなす左枠部と、右側縁をなす右枠部とから構成され、全体が外枠１１の開口に整合する矩形枠状に形成される。中枠１２には、遊技盤２０を前側から着脱可能に設置し得る遊技盤保持部が設けられている。そして中枠１２は、外枠１１の左上および左下に設けられたヒンジ１７,１７を介して該外枠１１に枢支され、該外枠１１に対して左側端部を中心として開閉し得るようになっている。なお中枠１２は、上下左右の各枠部が一体成形されたものであってもよい。
【００１６】
(前枠)
前記前枠１３は、図１に示すように、中枠１２の外郭形状に略合致する板状に形成されると共に前後方向に開口する窓口１８が開設された枠本体の前側に、該窓口１８を囲むように複数の装飾部材１９が取付けられている。窓口１８には、前記透視保護体１３ａが配設されている。そして、装飾部材１９内には、ＬＥＤチップを実装しランプ装置２８が配設され、該発光基板のＬＥＤチップが発光制御されることで装飾部材１９の光透過部分が明輝されるようになっている。また、前側１３の上部には、効果音等を発生可能なスピーカ２９が配設されている。
【００１７】
(遊技盤２０について)
前記遊技盤２０は、図２および図４に示すように、中枠１２に設けられた遊技盤保持部の内縁形状に整合する外形形状に形成された略矩形の平板状の部材である。遊技盤２０は、ベニア等を貼り合わせた木製合板または透明な合成樹脂板から形成されている。そして、遊技盤２０の後側には、後述する設置部材５５が配設されており、該設置部材５５には、後述する可動演出装置１００が配設されている。遊技盤２０の前側には、左下部から右上部にかけて円弧状に延在する外レール２１と、この外レール２１の内側に中央下部から左上部にかけて並べて配置された内レール２２と、外レール２１の右上部から内レール２２の下部までの間に右方へ凹む湾曲形状に構成された盤面飾り部材２３等が配設されており、両レール２１,２２および盤面飾り部材２３で囲まれた内側が遊技領域２４として構成されている。遊技盤２０には、前後に貫通する装着口が遊技領域２４内に複数開設されて、各装着口に対して各種の遊技盤構成部品が前側から取付けられる。また、遊技領域２４の最下部位置には、該遊技領域２４に打ち出されたパチンコ球(遊技球)を排出するアウト口２５が開設されている。更に、遊技盤２０には、遊技領域２４内に多数の遊技釘２６や回転体２７が配設されており、遊技領域２４を流下するパチンコ球が、遊技釘２６や回転体２７に接触することで流下方向を不規則に変化したり誘導されるようになっている。なお、遊技盤２０に開設される装着口の形成数や大きさは、遊技盤２０に対して取付けられる各種部品の個数や配設位置等に応じて適宜決定される。
【００１８】
図２に示すように、前記遊技盤２０に開設された装着口には、後述する枠状装飾体５０、遊技領域２４を流下するパチンコ球が入賞可能な始動入賞装置(始動入賞手段)３０、特別入賞装置(特別入賞手段)４０、普通入賞具４５、ゲート部材４８などが取り付けられている。枠状装飾体５０は、遊技領域２４の中央において略円形状に開口形成された装着口に配設され、左側の第１遊技領域２４ａおよび右側の第２遊技領域２４ｂに遊技領域２４を分けている。始動入賞装置３０は、枠状装飾体５０が配設された装着口の下方に開口形成された装着口に配設される。特別入賞装置４０は、始動入賞装置３０が配設された装着口の右側に開口形成された装着口に配設されている。また、第１遊技領域２４ａの下方に形成された２つの装着口に普通入賞口４６が夫々配設されると共に、特別入賞装置４０に１つの普通入賞具４５が設けられている。また、ゲート部材４８は、特別入賞装置４０に設けられている。
【００１９】
(始動入賞装置３０について)
前記始動入賞装置３０は、図２に示すように、上方に設けられた第１始動入賞口３１と、該第１始動入賞口３１の下方に設けられた第２始動入賞口３２とを備えている。第１始動入賞口３１は、該第１始動入賞口３１に入賞したパチンコ球(入賞球)を検出すると共に検出信号をメイン制御手段としてのメイン制御基板７０(図１７参照)へ送信する第１始動入賞検出センサ３３(図１７参照)を備えている。すなわち、第１始動入賞口３１は、遊技領域２４内で常に上方へ開口する常時開放タイプの入賞口であり、該遊技領域２４を流下するパチンコ球が常時一定の確率で入賞可能に構成されている。そして、第１始動入賞検出センサ３３からの検出信号を受信したメイン制御基板７０は、前述したように、球払出装置が所定数の賞球を払い出させるように球払出制御基板に制御信号を送信すると共に、入賞時情報(各種乱数情報)を取得して、該入賞時情報に基づいて大当り(当り)抽選(当り判定)を行うようになる。
【００２０】
前記第２始動入賞口３２は、該第２始動入賞口３２に入ったパチンコ球(入賞球)を検出すると共に検出信号をメイン制御基板７０へ送信する第２始動入賞検出センサ３４(図１７参照)を備えている。また、第２始動入賞口３２は、左右方向へ揺動して該第２始動入賞口３２を開閉する開閉部材３５(図２参照)と、該開閉部材３５,３５を開閉動作させる作動手段としての始動入賞ソレノイド３６(図１７参照)とを備え、開閉部材３５,３５は、該始動入賞ソレノイド３６の作動により第２始動入賞口３２を閉鎖する閉鎖位置および開放する開放位置に変位するよう構成されている。すなわち、実施例の第２始動入賞口３２は、開閉部材３５,３５が変位することで、該第２始動入賞口３２に対するパチンコ球の入賞確率を可変し得るよう構成されている。そして、第２始動入賞検出センサ３４からの検出信号を受信したメイン制御基板７０は、前述したように、球払出装置が所定数の賞球を払い出させるように球払出制御基板に制御信号を送信すると共に、入賞時情報(各種乱数情報)を取得して、該入賞時情報に基づいて大当り(当り)抽選(大当り判定)を行うようになる。
【００２１】
(特別入賞装置４０について)
第２遊技領域２４ｂの下流部に配設された特別入賞装置４０は、図２に示すように、第２遊技領域２４ｂに横長に開口する特別入賞口４１が上側に設けられた本体と、該特別入賞口４１を開閉自在に閉成するシャッタ形態の開閉扉４２と、開閉扉４２を開閉する開閉手段としての特別入賞ソレノイド４３と、特別入賞口４１に入賞したパチンコ球(入賞球)を検出すると共に検出信号をメイン制御基板７０へ送信する特別入賞検出センサ４４とを備えている(図１７参照)。開閉扉４２は、特別入賞口４１に対して前後方向へ揺動可能に配設され、特別入賞ソレノイド４３の作動に伴って、特別入賞口４１が閉鎖する閉鎖位置と開放する開放位置とに回転する。そして、特別入賞検出センサ４４からの検出信号を受信したメイン制御基板７０は、前述したように、球払出装置が所定数の賞球を払い出させるように球払出制御基板に制御信号を送信する。ここで、特別入賞装置４０は、第１始動入賞口３１へパチンコ球が入賞して第１特別入賞検出センサ４５から検出信号がメイン制御基板７０へ送信されたことを契機として、メイン制御基板７０が行う大当り抽選の結果として所定の大当り遊技(例えば、確変大当り遊技や非確変大当り遊技等の特別遊技)が生起された場合に、該大当りのラウンド演出に基づいて開閉扉４２を動作させて特別入賞口４１を所定の回数で開放するよう制御される。すなわち、メイン制御基板７０は、所定の判定条件の成立を契機として当り判定を実行する当り判定手段としての機能を備えている。
【００２２】
(普通入賞具４５について)
前記各普通入賞具４５は、パチンコ球が入賞可能に遊技領域２４内で常に上方へ開口する常時開口タイプの普通入賞口４６を備え、遊技領域２４を流下するパチンコ球が常時一定の確率で入賞可能に構成されている。また、各普通入賞具４５は、普通入賞口４６に入賞したパチンコ球を検出する普通入賞検出手段としての普通入賞検出センサ４７(図１７参照)を備えている。各普通入賞検出センサ４７は、前記メイン制御基板７０(メイン制御ＣＰＵ７０ａ)に配線接続されている。普通入賞検出センサ４７は、パチンコ球を検出すると検出信号をメイン制御基板７０に出力し、該メイン制御基板７０の制御下に予め設定された数の賞球が払い出されるようになっている。なお、実施例では、各普通入賞具４５の普通入賞口４６へパチンコ球が入球した際の賞球数が５個に設定されている。
【００２３】
(ゲート部材４８について)
前記ゲート部材４８は、そのゲート部を通過するパチンコ球を検出するゲートセンサ４９(図１７参照)が設けられている。このゲートセンサ４９は、前記メイン制御基板７０(メイン制御ＣＰＵ７０ａ)に配線接続されており、該ゲートセンサ４９からメイン制御基板７０への球検出信号の入力(すなわちゲートセンサ４９のパチンコ球の検出)に伴って各種情報(後述する普図当り判定用乱数)が取得され、この取得した情報に基づいて普図当り判定(普図当り抽選)が行われるよう構成されている。そして、この普図当り抽選の結果に応じて前記第２始動入賞口３２の始動入賞ソレノイド３６が駆動制御されて開閉部材３５が開閉動作するようになっている。
【００２４】
前述のように構成された遊技盤２０では、打球発射装置から発射されたパチンコ球が外レール２１と内レール２２との間を通って遊技領域２４の左側上部に打ち出された際に、該打球発射装置による打球力を弱く調整した所謂左打ちの場合は、主に遊技領域２４の第１遊技領域２４ａを流下し、該打球発射装置による打球力を強く調整した所謂右打ちの場合は、主に遊技領域２４の第２遊技領域２４ｂを流下するようになっている。そして、遊技領域２４に打ち出されたパチンコ球が始動入賞装置３０の第１始動入賞口３１または第２始動入賞口３２に入賞して第１始動入賞検出センサ３３または第２始動入賞検出センサ３４が検出すると、当該パチンコ機１０を総合的に制御するメイン制御基板７０に対して該始動入賞検出センサ３３,３４から検出信号が送信される。これに基づいてメイン制御基板７０は、大当り抽選を行なうと共に、当該大当り抽選の結果に基づいてサブ制御手段としての演出制御基板７１に制御信号を出力して、後述する図柄表示装置６０の表示部６１において図柄変動演出を行わせるようになっている。そして、図柄表示装置６０での図柄変動演出の結果、表示部６１に所定の図柄組み合わせ(例えば同一図柄の３つ揃い等)で図柄が確定的に停止表示されると所謂大当り遊技が生起され、特別入賞装置４０の特別入賞口４１が開放し、遊技者が多数の賞球を獲得可能な機会が与えられる。なお、前述した各始動入賞口３１,３２、特別入賞口４１および普通入賞口４６の何れにも入賞することなく遊技領域２４の下部まで流下したパチンコ球は、アウト口２５を介して遊技盤２０の裏側へ回収される。
【００２５】
(枠状装飾体５０について)
図２に示すように、前記枠状装飾体５０は、複数の枠状装飾部材を環状に組付けて構成された枠部５１と、該枠部５１の内側下部に設けられたステージ部５２とを備え、枠部５１およびステージ部５２で囲まれた内側が、前後に開口する演出窓口５０ａとなっている。前記枠部５１は、遊技盤２０の前面から前方へ突出して形成され、第１遊技領域２４ａおよび第２遊技領域２４ｂを流下するパチンコ球が、枠状装飾体５０の内側へ移動することを規制する区画壁である。前記ステージ部５２は、第１遊技領域２４ａに開口した球流入口５２ａと、該球流入口５２ａに連通すると共に左右方向に延在し、該球流入口５２ａから流入したパチンコ球が転動可能な転動面５２ｂとを備えている。そして、ステージ部５２における転動面５２ｂの前側は遊技領域２４に開口しており、該転動面５２ｂ上を左右に移動したパチンコ球は、適宜位置から前側へ落下可能に構成されている。なお、ステージ部５２における転動面５２ｂの上方には、左右方向に延在すると共に前方へ延出した隔壁５３が設けられており、転動面５２ｂ上を転動するパチンコ球が枠状装飾体５０の演出窓口５０ａから後方へ移動することを規制するよう構成されている。
【００２６】
(設置部材５５について)
前記設置部材５５は、図３に示す如く、遊技盤２０の外郭形状より僅かに小さい形状に形成された略矩形状の設置壁部５６と、該設置壁部５６の外周縁部から前方に突出する外周壁部５７とを備え、設置壁部５６から前方に開口した箱状に形成されている。そして、設置部材５５は、外周壁部５７の開口前端部を遊技盤２０の後面に当接させた状態で、当該遊技盤２０にネジ止め固定される。設置部材５５における設置壁部５６の前側には、遊技盤２０の後面との間に空間が画成され、該空間には、実施例の可動演出装置１００や、その他の演出装置および装飾部材等(図示せず)が配設される。また、設置壁部５６には、その後面に図柄表示装置６０が着脱自在に取り付けられると共に、枠状装飾体５０の演出窓口５０ａと前後に整列する位置に、略矩形状の表示開口５８が前後に開口するよう開設される。表示開口５８には、設置壁部５６の後面に取り付けた図柄表示装置６０の表示部６１ａが後方から臨むようになり、表示開口５８および演出窓口５０ａを介して図柄表示装置６０の表示部４５ａが遊技盤２０の前側に臨むようになっている。設置壁部５６は、中央に開口する表示開口５８の上方に、可動演出装置１００を取り付けるための上板部５６ａが位置している。
【００２７】
(図柄表示装置６０について)
前記図柄表示装置６０は、各種図柄を表示可能な表示部６１をなす液晶パネルが収容ケースに収容されたユニット部材であって、該収容ケースの後面には、該図柄表示装置６０の表示部６１の表示制御を行う表示制御基板７２(図１７参照)を収容した図柄表示基板ケースと、当該パチンコ機１０の遊技演出を統括的に制御する演出制御基板７１が収容された演出制御基板ケースとが配設されている。図柄表示装置６０の表示部６１には、飾図を変動表示可能な図柄列が複数列(例えば３列)設定されており、始動入賞装置３０の第１始動入賞口３１または第２始動入賞口３２へのパチンコ球の入賞を契機として、各図柄列の飾図が変動開始されると共に背景画像等が表示され、選択された図柄変動演出(リーチ演出や外れ演出等)を行った後に、予め決定された最終停止図柄を、入賞ライン上に停止表示するようになっている。なお実施例では、図柄表示装置６０として、表示部６１が液晶パネルである液晶表示装置が採用されるが、これに限られるものではなく、ドラム式の図柄表示装置やドットマトリックス式の図柄表示装置等の各種図柄を停止および変動表示可能な従来公知の各種の表示装置も採用可能である。
【００２８】
(メイン制御基板７０について)
実施例のパチンコ機１０の遊技を総合的に制御するメイン制御基板７０を収容したメイン制御基板ケースは、前記図柄表示装置６０の下方において、前記設置部材５５の設置壁部５６に取り付けられる。メイン制御基板７０は、図１７に示すように、制御動作を所定の手順で実行することができるメイン制御ＣＰＵ７０ａと、メイン制御ＣＰＵ７０ａの制御プログラムを格納するメイン制御ＲＯＭ７０ｂと、必要なデータの書き込みおよび読み出しができるメイン制御ＲＡＭ７０ｃを備えている。メイン制御基板７０は、大当り判定用乱数、大当り図柄用乱数、変動パターン振分用乱数、普図当り判定用乱数等の各種乱数の値を所定の周期毎に更新し、更新後の値をメイン制御ＲＡＭ７０ｃの設定領域に記憶(設定)することで更新前の値を書き換えており、乱数更新処理(乱数生成処理)を実行するようになっている。例えば、メイン制御基板７０では、前記第１始動入賞検出センサ３３または第２始動入賞検出センサ３４から検出信号が入力されると、メイン制御ＣＰＵ７０ａがメイン制御ＲＯＭ７０ｂから大当り判定用乱数を取得し、この大当り判定用乱数とメイン制御ＲＯＭに記憶されている大当り判定値とを比較し、大当りとするか否かの大当り判定(大当り抽選)を行う。またメイン制御基板７０では、大当り判定の結果が肯定の場合には、変動パターンテーブルから大当り演出用の変動パターンを決定する。これに対して、大当り判定の結果が否定の場合には、変動パターンテーブルからはずれ演出用の変動パターンを決定する。大当り演出用およびはずれ演出用の変動パターンの決定は、大当り判定と同様に、メイン制御ＣＰＵ７０ａがメイン制御ＲＯＭ７０ｂから取得した乱数により行う。なお、変動パターンテーブルから決定される大当り演出およびはずれ演出の変動パターンは、少なくとも図柄変動ゲームの変動時間および演出内容を特定するものである。そして、パチンコ機１０では、メイン制御基板７０の大当り判定の結果に応じて該メイン制御基板７０から演出制御基板７１へ制御信号が出力され、演出制御基板７１から出力される演出用の制御信号に基づいて、表示制御基板７２が図柄表示装置６０に所定の演出表示を行わせると共に、図示しない球払出装置によって所定数の賞球が上球受け皿１４へ払い出される。
【００２９】
(演出制御基板７１について)
前記演出制御基板７１には、図１７に示すように、演出制御ＣＰＵ７１ａが備えられると共に、該演出制御ＣＰＵ７１ａには、演出制御ＲＯＭ７１ｂおよび演出制御ＲＡＭ７１ｃが接続されている。また、演出制御ＣＰＵ７１ａは、実行可否判定用乱数や動作演出パターン抽選用乱数等の各種乱数の値を所定の周期毎に更新し、更新後の値を演出制御ＲＡＭ７１ｃの設定領域に記憶(設定)して更新前の値を書き換えている。更に、演出制御ＲＯＭ７１ｂには、図柄表示装置６０の表示部６１における演出内容を制御する表示制御基板７２(図１７参照)、ランプ装置２８を制御するランプ制御基板７３(図１７参照)を演出的に制御するプログラムや、スピーカ２９を制御する音制御基板７４(図１７参照)等を演出的に制御するプログラムや、可動演出装置１００およびその他の演出装置を作動制御するプログラム等が記憶されている。
【００３０】
演出制御ＣＰＵ７１ａは、各種制御コマンド(情報)が入力されると、演出制御プログラムに基づき各種制御を実行する。例えば、演出制御基板７１では、メイン制御基板７０のメイン制御ＣＰＵ７０ａから変動パターン指定コマンドが入力されると、演出制御ＣＰＵ７１ａが演出制御ＲＯＭ７１ｂから実行可否判定用乱数を取得し、この実行可否判定用乱数と演出制御ＲＯＭ７１ｂに記憶されている実行可否判定値とを比較し、実施例の可動演出装置１００の可動体演出を実行するか否かの実行可否判定を行う。そして、演出制御基板７１は、実行可否判定の結果が肯定の場合において、可動演出装置１００を動作させる。
【００３１】
(可動演出装置１００について)
次に、実施例のパチンコ機１０に装備された可動演出装置１００につき、図面を引用して説明する。なお、以下の説明において、可動演出装置１００の「前」、「後」、「左」、「右」とは、特に断りのない限り、設置部材５５の設置壁部５６に取り付けた当該可動演出装置１００をパチンコ機１０の前側から見た状態で指称する。
【００３２】
前記可動演出装置１００は、図１および図２に示すように、前記遊技盤２０の後側に取り付けられる設置部材５５(図２参照)の設置壁部５６における上板部５６ａの前側に取り付けられ、初期姿勢および該初期姿勢から離間した移動姿勢の間を往復移動可能な複数の可動体１０１,１０２を備えている。実施例の可動演出装置１００は、装置本体１０３に、左右中央に配設された可動体(以降「第１可動体」という)１０１と、該第１可動体１０１の左側および右側に夫々配設された左右１対の可動体(以降「第２可動体」という)１０２,１０２とを備えている。第１可動体１０１は、後述する第１作動機構(動力伝達手段)１０４を構成する第１駆動モータ(駆動手段)１７５の駆動により、表示開口５８の前側(演出窓口５０ａの後側)において、第１初期姿勢(図２、図７(ａ)参照)および第１移動姿勢(図４、図７(ｃ)参照)の間を姿勢変位するようになっている。また、第２可動体１０２,１０２は、後述する第２作動機構１０５を構成する第２駆動モータ(駆動手段)２０１の駆動により、表示開口５８の前側(演出窓口５０ａの後側)において、第２初期姿勢(図７(ａ)参照)および第２移動姿勢(図７(ｂ)参照)の間を姿勢変位するようになっている。
【００３３】
(装置本体１０３について)
前記装置本体１０３は、図５、図６および図１６に示すように、上下に開口する枠体状に形成されている。すなわち装置本体１０３は、設置部材５５の設置壁部５６に取り付けられる後フレーム部材１１０と、該後フレーム部材１１０の前側に離間して配設された前フレーム部材１１１と、後フレーム部材１１０の左縁前部に取り付けられて前フレーム部材１１１を支持する左フレーム部材１１２と、後フレーム部材１１０の右縁前部に取り付けられて前フレーム部材１１１を支持する右フレーム部材１１３とを備えている。そして、装置本体１０３には、前記各フレーム部材１１０,１１１,１１２,１１３で囲まれた配設空間が画成され、前記第１作動機構１０４および第２作動機構１０５が該配設空間に配設されている。なお、前フレーム部材１１１は、左フレーム部材１１２および右フレーム部材１１３の左右配設間隔よりも左右に長く、左フレーム部材１１２から左方へ延出すると共に右フレーム部材１１３から右方へ延出している。
【００３４】
前記後フレーム部材１１０は、図５(ｂ)、図１５および図１６に示すように、左右に長い略矩形状のプレート部材であり、裏面および外縁には、縦横方向に延在する複数のリブが形成されて補強されている。この後フレーム部材１１０における配設空間内に臨む前面には、前記第２作動機構１０５を構成する連係部材２０３,２０３を配設する連係部材配設部１１４,１１４が設けられている。連係部材配設部１１４,１１４は、左右方向へ延在すると共に左右方向へ並んで設けられている。各連係部材配設部１１４,１１４には、連係部材２０３,２０３を左右方向へ往復スライド移動可能に支持するガイド突部１１４ａおよびガイド孔１１４ｂが設けられている。各ガイド突部１１４ａの前端には、連係部材２０３,２０３の脱落を防止するストッパー１１５が取り付けられる。更に、後フレーム部材１１０における各連係部材配設部１１４,１１４の間に位置する部位には、左右方向へ延在する開口１１６が設けられている。また、前記後フレーム部材１１０には、図１０に示すように、後述する動力断続部材１９１の姿勢変位を発現させる第２姿勢制御部１９９が取り付けられる部材取付部１１７が設けられている。
【００３５】
前記左フレーム部材１１２は、図１５および図１６に示すように、略矩形状の部材であって、縦板部１１２ａの外縁には、左外方へ延出する外周リブ１１２ｂが設けられている。縦板部１１２ａにおける前記配設空間へ臨む内側面には、前記第１作動機構１０４を構成する支持シャフト１７６の左端を支持する軸端支持部１１８が設けられている。一方、縦板部１１２ａの左外側面に、前記第２作動機構１０５を構成する左の保持部材(保持手段)１０８が配設されるようになっている。これに伴い、縦板部１１２ａの左外面の上部に、左の保持部材１０８を揺動可能に支持する左支持軸１２０を支持する一対の左軸支持部１１９,１１９が、前後方向に離間すると共に前後に開口した形状に形成されている。これにより、各左軸支持部１１９,１１９に支持された左支持軸１２０は、前後方向へ軸心が延在する向きで支持される。また、縦板部１１２ａには、前記軸端支持部１１８を中心とする円弧状の円弧開口１２１が、該軸端支持部１１８の下方に形成されている。この円弧開口１２１には、後述する左の支持体１０６に設けられた規制ピン(第１係合部)１５８が挿通されるようになっている。更に、左フレーム部材１１２には、左の第２可動体１０２との間に架設される付勢手段としてのコイルバネ２２３の一端を掛止する左掛止片１２２が設けられている。
【００３６】
前記右フレーム部材１１３は、図７、図１５および図１６に示すように、略矩形状の部材であって、縦板部１１３ａの外縁には、右外方へ延出する外周リブ１１３ｂが設けられている。縦板部１１３ａにおける前記配設空間へ臨む内側面には、前記第１作動機構１０４の支持シャフト１７６の右端を支持する軸端支持部１２４が設けられている。一方、縦板部１１３ａの右外側面に、前記第２作動機構１０５を構成する右の保持部材(保持手段)１０８が配設されるようになっている。これに伴い、縦板部１１３ａの右外面の上部に、右の保持部材１０８を揺動可能に支持する右支持軸１２６を支持する一対の右軸支持部１２５,１２５が、前後方向に開口した形状に形成されている。これにより、各右軸支持部１２５,１２５に支持された右支持軸１２６は、前後方向へ軸心が延在する向きで支持される。また、縦板部１１２ａには、前記軸端支持部１２４を中心とする円弧状の円弧開口１２７が、該軸端支持部１２４の下方に形成されている。この円弧開口１２７には、後述する右の支持体１０７に設けられた規制ピン１５８が挿通されるようになっている。更に、右フレーム部材１１３には、右の第２可動体１０２との間に架設される付勢手段としてのコイルバネ２２３の一端を掛止する右掛止片１２８が設けられている。
【００３７】
前記前フレーム部材１１１は、図１６に示すように、前記配設空間の前側部分を画成する前板部１３０と、該前板部１３０の左側から左方へ延出するように連設される左支持部１３１と、該前板部１３０の右側から右方へ延出するように連設される右支持部１３２とを備えている。前板部１３０には、その前側に後述する発光装飾体２３５が取り付けられる。そして、前板部１３０には、該発光装飾体２３５を構成する第３発光基板２３８に接続されるコネクタが挿通されるコネクタ挿通孔１３３が形成されている。また、前板部１３０は、下方にいくにつれて後方へ変位するよう傾斜状に形成されており、前記発光装飾体２３５が前方斜め下方を向いた姿勢で取り付けられるようになっている(図９(ｂ)参照)。
【００３８】
前記左支持部１３１には、図５および図１６に示すように、前記左の第２可動体１０２が姿勢変位可能に支持されると共に、右支持部１３２には、前記右の第２可動体１０２が姿勢変位可能に支持される。左支持部１３１の前面および右支持部１３２の前面には、第２可動体１０２を揺動可能に支持する前支持軸１３６を支持する前軸支持部１３５,１３５が、左右方向に開口した形状に形成されている。これにより、各前軸支持部１３５,１３５に支持された前支持軸１３６は、左右方向へ軸心が延在する向きで支持される。また、左支持部１３１および右支持部１３２には、第２可動体１０２から後方へ延出する係止レバー２３１(図９(ａ)参照)が挿通する挿通孔１３７が、前後に開口するように形成されている。
【００３９】
(作動機構取付台１４０について)
前記装置本体１０３の配設空間内には、図１５および図１６に示すように、前記第１作動機構１０４および第２作動機構１０５を配設する作動機構取付台１４０が配設されている。この作動機構取付台１４０は、前記後フレーム部材１１０にネジにより取り付けられる後取付部１４１と、該後取付部１４１の左端から前方へ延出した状態に設けられた左取付部１４２と、該後取付部１４１の右端から前方へ延出した状態に設けられた右取付部１４３と、該後取付部１４１の下端から下方へ延出した状態に設けられた下取付部１４４とで構成されている。ここで、左取付部１４２および右取付部１４３には、左右方向へ貫通した軸支持孔１４５,１４５が形成されており、前記支持シャフト１７６を、その軸心が左右方向へ延在した向きで貫通支持するようになっている。また、右取付部１４３には、第１作動機構１０４を構成する第１駆動モータ(駆動手段)１７５が取り付けられると共に、下取付部１４４には、第２作動機構１０５を構成する第２駆動モータ(駆動手段)２０１が取り付けられる。なお、実施例の作動機構取付台１４０は、後取付部１４１、左取付部１４２および下取付部１４４が一体に形成されると共に、右取付部１４３が各取付部１４１,１４２,１４４と別体に形成されているが、全ての取付部１４１〜１４４が一体形成されたものであってもよいし、左取付部１４２または下取付部１４４が後取付部１４１と別体に形成されたものであってもよい。
【００４０】
図１５に示すように、前記左取付部１４２の左側面には、第１位置検出センサ(第１位置検出手段)２４１が取り付けられる。また、前記右取付部１４３には、前記第１駆動モータ１７５が左側から取り付けられるようになっており、該右取付部１４３には、該第１駆動モータ１７５の駆動軸が挿通する軸挿通孔が左右に貫通している。そして、右取付部１４３の右側面には、第２位置検出センサ(第２位置検出手段)２４２が取り付けられる。一方、前記下取付部１４４には、前記第２駆動モータ２０１が前側から取り付けられるようになっており、該下取付部１４４には、該第２駆動モータ２０１の駆動軸が挿通する軸挿通孔が前後に貫通している。なお、作動機構取付台１４０は、右取付部１４３が後取付部１４１に対してネジにより固定されると共に、複数の補強リブが形成されており、第１作動機構１０４、第２作動機構１０５、左右の支持体１０６,１０７および第１可動体１０１の合計重量が加わっても変形が困難に構成されている。また、図１６に示すように、作動機構取付台１４０の上部には、中継基板１４７が取り付けられる基板取付台１４６が取り付けられるようになっている。
【００４１】
(支持体１０６,１０７について)
図８、図９および図１５に示すように、前記作動機構取付台１４０に配設された前記支持シャフト１７６には、前記第１可動体１０１を姿勢変位可能に支持する支持体１０６,１０７が、回転しながら移動可能に配設されている。前記支持体１０６,１０７は、細長のアーム状部材であり、長手方向における一方の端部側に、支持シャフト１７６が貫通することで該支持シャフト１７６に支持されており、この支持シャフト１７６を中心として他方の端部側が変位するよう揺動可能となっている。ここで実施例では、左右に離間した一対の支持体(以降「左の支持体１０６」および「右の支持体１０７」と指称する)を備えており、これら左の支持体１０６および右の支持体１０７により第１可動体１０１を支持している。なお、左の支持体１０６は、装置本体１０３の左フレーム部材１１２および作動機構取付台１４０の左取付部１４２の間において支持シャフト１７６に配設され、右の支持体１０７は、該装置本体１０３の右フレーム部材１１３および作動機構取付台１４０の右取付部１４３の間において該支持シャフト１７６に配設されている。
【００４２】
前記左の支持体１０６および右の支持体１０７は、形状の僅かな違いがあるが基本的な構成が同じである。但し、右の支持体１０７には、後述する動力断続機構(動力断続手段)１９０を構成する動力断続部材１９１を配設するための構成が追加されている(図１０、図１５参照)。また、左の支持体１０６には、配線を保持する配線保持部材１５９が追加して配設されている(図１５参照)。従って、以降の説明では、左の支持体１０６および右の支持体１０７の共通部材、部位については、同一符号で指示する。
【００４３】
前記左の支持体１０６および右の支持体１０７は、図１０、図１１および図１５に示すように、支持本体１５０と、該支持本体１５０に組み付けられるカバー１５１とから構成され、支持本体１５０とカバー１５１とを組み付けることで、第１作動機構１０４を構成する複数のギア１８１〜１８７を収容可能な内部空間１５２が内部に画成されている。支持本体１５０は、細長をなす側壁１５０ａの外周縁に沿って外周壁１５０ｂが延設されており、カバー１５１側に開口している。そして、側壁１５０ａにおける一方の端部側には、前記支持シャフト１７６が挿通する第１軸支持孔１５３が形成された第１支持筒部１５３ａが突設されていると共に、該側壁１５０ａにおける他方の端部側には、前記第１可動体１０１を支持する支持ピン１８０が挿通する第２軸支持孔１５４が形成された第２支持筒部１５４ａが突設されている。また、側壁１５０ａには、前記第１作動機構１０４における前記第２〜第６中間ギア１８２,１８３,１８４,１８５,１８６を回転自在に支持するギア支持軸１５５が、当該側壁１５０ａからカバー１５１側へ突出するように立設されている(図１０参照)。
【００４４】
前記カバー１５１は、図１５に示すように、前記支持本体１５０の開口を塞いだ状態で該支持本体１５０にネジにより取り付けられる。すなわち、カバー１５１は、前記支持本体１５０の側壁１５０ａと略同じ輪郭形状をなす細長の板状部材であり、支持本体１５０に取り付けることで該支持本体１５０内に画成される内部空間１５２を塞ぐようになる。また、カバー１５１における一方の端部側には、前記支持シャフト１７６が挿通する第３軸支持孔１５６が形成されていると共に、他方の側端側には、前記支持ピン１８０を支持する第４軸支持孔１５７が形成されている。更に、カバー１５１の外面(内部空間１５２と反対側の側面)には、側外方へ突出した規制ピン１５８が形成されている(図１４、図１５参照)。右の支持体１０７のカバー１５１に設けられた前記規制ピン１５８は、前記右フレーム部材１１３に形成された円弧開口１２１に挿通されると共に、前記右の保持部材１０８に形成された第１規制凹部(第２係合部)２１４および第２規制凹部(第３係合部)２１５に係脱可能に係止するようになっている(図７、図１４参照)。また、左の支持体１０６のカバー１５１に設けられた前記規制ピン１５８は、前記左フレーム部材１１２に形成された円弧開口１２１に挿通されると共に、前記左の保持部材１０８に形成された第１規制凹部(第２係合部)２１４および第２規制凹部２１５に係脱可能に係止するようになっている。
【００４５】
(左の支持体１０６のみに追加された構成について)
図１５に示すように、前記左の支持体１０６には、前記第１可動体１０１に配設された第１発光基板１６７(図５、図１６参照)と前記中継基板１４７とを接続する配線(図示せず)を保持する配線保持部材１５９が取り付けられている。この配線保持部材１５９は、左の支持体１０６のカバー１５１にネジにより取り付けることで、該カバー１５１との間で配線を挟持するようになっている。また、図８および図１５に示すように、左の支持体１０６には、前記作動機構取付台１４０の左取付部１４２に取り付けた前記第１位置検出センサ(第１位置検出手段)２４１により検出される第１検出片(第１被検出部)１６０が設けられている。この第１検出片１６０は、左の支持体１０６が初期位置において第１位置検出センサ２４１で検出されると共に、該左の支持体１０６が初期位置から移動位置側へ移動した際には該第１位置検出センサ２４１では検出されないように形成されている。すなわち、第１位置検出センサ２４１は、左右の支持体１０６,１０７が初期位置にあることを検出するためのものである。
【００４６】
(右の支持体１０７のみに追加された構成について)
図１０〜図１２および図１５に示すように、前記右の支持体１０７には、前記第１駆動モータ１７５の動力を第１可動体１０１に伝達または遮断する動力断続部材(動力断続手段)１９１を取り付けるための動力断続部材取付部１６１が設けられている。すなわち、動力断続部材取付部１６１に取り付けられた動力断続部材１９１は、第１駆動モータ１７５の動力が第１可動体１０１に伝達されるのを規制する伝達規制姿勢(図１１)と、第１駆動モータ１７５の動力が第１可動体１０１に伝達されるのを許容する伝達許容姿勢(図１２)とに姿勢変位するようになっている。なお、動力断続部材１９１の詳細については後述する。ここで、前記動力断続部材取付部１６１は、支持本体１５０の側壁１５０ａの外面において、右の支持体１０７の長手方向で両側に開口する軸支持部であって、動力断続部材１９１に設けられた軸部１９２を、挿通した状態で支持可能となっている。実施例では、支持本体１５０の側壁１５０ａから逆Ｕ字形に突出して、該支持本体１５０の長手方向に開口している。
【００４７】
また、図１０に示すように、右の支持体１０７の支持本体１５０における側壁１５０ａには、該右の支持体１０７の内外に貫通した開口１６２が形成されている。この開口１６２は、前記第３中間ギア１８３に設けられた第２係止突部(第２係止部)１８８を該右の支持体１０７の外方へ臨ませると共に、前記動力断続部材１９１に設けられた第１係止突部(第１係止部)１９４を右の支持体１０７の内部空間１５２へ臨ませるためのものである。ここで、前記開口１６２は、前記第３中間ギア１８３を回転自在に支持するギア支持軸１５５を中心とした円弧状に開口形成されており、第３中間ギア１８３が回転する際に第２係止突部１８８が当該開口１６２内を円弧状に移動可能となっている。
【００４８】
前記支持シャフト１７６に支持された前記左の支持体１０６および右の支持体１０７は、該支持シャフト１７６を回転中心として、図７(ａ)に示す初期位置および図７(ｃ)に示す移動位置の間を回転しながら移動する。実施例では、左右の支持体１０６,１０７が前方斜め下方に傾斜した姿勢が初期位置とされ、左右の支持体１０６,１０７が略真下に垂下した姿勢が移動位置に設定されている。従って、左右の支持体１０６,１０７は、初期位置および移動位置の間を上下方向において回転しながら移動することで、第１可動体１０１を上下方向へ曲線状に移動させて位置変位させる。
【００４９】
(第１可動体１０１について)
前記第１可動体１０１は、図４および図８に示すように、前記左の支持体１０６および右の支持体１０７の他方の端部(揺動端部)に夫々回転可能に支持されている。第１可動体１０１は、図９および図１５に示すように、第１装飾部材１６５と、該第１装飾部材１６５に裏側から組み付けられる第２装飾部材１６６と、第１発光基板１６７と、レンズ部材１６８と、光拡散シート１６９とから構成されている。そして第１可動体１０１は、第１装飾部材１６５と第２装飾部材１６６とを組み付けることで、第１発光基板１６７、レンズ部材１６８および光拡散シート１６９が収容可能な内部空間が形成されるようになっている。第１装飾部材１６５および第２装飾部材１６６は、所要の外縁輪郭形状に形成されて透光性を有する透明または半透明の部材である。そして、第１装飾部材１６５および第２装飾部材１６６は、夫々の外面および内面が凹凸状に形成されていると共に、外面には所要のデザインが施されている。
【００５０】
前記第１発光基板１６７は、図１１および図１５に示すように、第１可動体１０１の内部空間内に収容された状態で、第１面１６７ａが第１装飾部材１６５の裏面と対向すると共に、該第１面１６７ａと反対の第２面１６７ｂが第２装飾部材１６６の裏面と対向するようになっている。そして、第１発光基板１６７の第１面１６７ａには、複数の第１ＬＥＤチップ１７０ａが分散的に配設されていると共に、第２面１６７ｂには、複数の第２ＬＥＤチップ１７０ｂが分散的に配設されている。これら第１ＬＥＤチップ１７０ａおよび第２ＬＥＤチップ１７０ｂは、前記演出制御基板７１による制御に基づいて発光、点滅および消灯制御される。そして、第１発光基板１６７の各第１ＬＥＤチップ１７０ａが発光することで、第１装飾部材１６５が裏側から照明されて該第１装飾部材１６５が明輝するようになる。また、第１発光基板１６７の各第２ＬＥＤチップ１７０ｂが発光することで、第２装飾部材１６６が裏側から照明されて該第２装飾部材１６６が明輝するようになる。
【００５１】
前記レンズ部材１６８は、図１１および図１５に示すように、第１発光基板１６７の第１面１６７ａと第１装飾部材１６５の裏面との間に配設されている。レンズ部材１６８は、板状に形成されると共に、第１発光基板１６７と対向する裏面の全体が、所要の凹凸模様が形成された光拡散面となっている。これにより、第１発光基板１６７の各第１ＬＥＤチップ１７０ａが発光した際には、レンズ部材１６８の裏面に照射した光が拡散されながら、該レンズ部材１６８の表面側へ透過するようになっている。また、前記光拡散シート１６９は、前記レンズ部材１６８と第１装飾部材１６５の裏面との間に配設されている。光拡散シート１６９は、第１装飾部材１６５側の表面が所謂磨りガラス状に処理されており、光拡散シート１６９の裏面に照射された光は、拡散されて該光拡散シート１６９の全体が略均一に明輝するようになる。このように光拡散シート１６９が均一に明輝することで、第１装飾部材１６５の全体が略均一に明輝する。
【００５２】
(ピン支持部材１７１,１７２について)
前記第１可動体１０１は、図１５に示すように、前記左の支持体１０６に配設された支持ピン１８０を回転可能に保持する第１ピン保持部材１７１と、前記右の支持体１０７に配設された支持ピン１８０を回転可能に保持する第２ピン支持部材１７２とで、該左右の支持体１０６,１０７に姿勢変位可能に支持されている。第１ピン保持部材１７１および第２ピン支持部材１７２は、第１可動体１０１の第１装飾部材１６５に取り付けられる取付部１７１ａ,１７２ａと、該取付部１７１ａ,１７２ａに一体に形成されて前記支持ピン１８０が挿通されるピン支持部１７１ｂ,１７２ｂとを備えている。
【００５３】
前記第１可動体１０１は、前記第１ピン保持部材１７１および第２ピン支持部材１７２により左の支持体１０６の支持ピン１８０および右の支持体１０７の支持ピン１８０の夫々に支持される。そして第１可動体１０１は、前記各支持ピン１８０,１８０が左右方向に延在する同一線上に配設されていることで、左の支持体１０６および右の支持体１０７に対して、前記第１作動機構１０４の作動に基づいて第１初期姿勢(図７(ａ)参照)および該第１初期姿勢から離間した第１移動姿勢(図７(ｃ)参照)の間を姿勢変位可能となっている。また、第１可動体１０１は、左の支持体１０６および右の支持体１０７が前記初期位置から移動位置へ回転しながら移動することにより、左の支持体１０６および右の支持体１０７に対して第１初期姿勢に保持された状態で位置変位するようになっている。従って、第１可動体１０１は、左右の支持体１０６,１０７に対して第１初期姿勢に保持されると共に、左右の支持体１０６,１０７が初期位置にある場合(図７(ａ)参照)には、発光装飾体２３５の前側に位置して、前記第１装飾部材１６５が前方を指向すると共に第２装飾部材１６６が後方を指向した略垂直状態となる。一方、第１可動体１０１は、左右の支持体１０６,１０７に対して第１移動姿勢に保持されると共に、左右の支持体１０６,１０７が移動位置にある場合(図７(ｃ)参照)には、前記発光装飾体２３５より下方かつ後方に位置して、前記第２装飾部材１６６が前方を指向すると共に第１装飾部材１６５が後方を指向した上下逆向きで略垂直状態となる。
【００５４】
(第１作動機構１０４について)
前記第１作動機構１０４は、前記左の支持体１０６および右の支持体１０７を、前記作動機構取付台１４０に対して(装置本体１０３に対して)前記初期位置および移動位置の間で移動させると共に、前記第１可動体１０１を、前記第１初期姿勢および第１移動姿勢の間で姿勢変位させる。第１作動機構１０４は、図８および図９(ｂ)に示すように、前記第１駆動モータ１７５と、前記支持シャフト１７６と、複数のギア１７７〜１７９,１８１〜１８７とを備えている。ここで、第１駆動モータ１７５と支持シャフト１７６とは、複数(実施例での３個)のギア(第１駆動ギア１７７、第１中間ギア１７８、第１主動ギア１７９)で連係されている。すなわち、第１駆動ギア１７７は、第１駆動モータ１７５の駆動軸に固定されている。第１主動ギア１７９は、支持シャフト１７６に対して回転不能に固定されている。第１中間ギア１７８は、作動機構取付台１４０の右取付部１４３に設けられた支持ピンに回転自在に配設されると共に、第１駆動ギア１７７および第１主動ギア１７９の夫々に噛合している。従って、第１駆動モータ１７５が駆動した際に、第１駆動ギア１７７、第１中間ギア１７８および第１主動ギア１７９が回転することで、前記軸支持孔１４５,１４５に支持された支持シャフト１７６が、軸回りに回転するようになる。
【００５５】
また、図９(ｂ)に示すように、前記支持シャフト１７６と、前記左の支持体１０６および右の支持体１０７に配設された支持ピン１８０,１８０とが、該左の支持体１０６および右の支持体１０７の夫々の内部空間１５２に配設された複数(実施例では７個)のギア(第２主動ギア１８１、第２〜第６中間ギア１８２〜１８６、第１従動ギア１８７)で連係されている。すなわち、第２主動ギア１８１は、左の支持体１０６および右の支持体１０７の内部空間１５２内において、支持シャフト１７６に対して回転不能に固定されている。第２〜第６中間ギア１８２〜１８６は、左の支持体１０６または右の支持体１０７に設けられた前記夫々のギア支持軸１５５に回転自在に配設されている。また第１従動ギア１８７は、左の支持体１０６および右の支持体１０７の内部空間１５２内において、前記第２軸支持孔１５４および第４軸支持孔１５７に支持された前記支持ピン１８０に回転不能に固定されている。そして、第２主動ギア１８１、第２〜第６中間ギア１８２〜１８６および第１従動ギア１８７は、ギア列を構成している。従って、前記支持シャフト１７６が左の支持体１０６および右の支持体１０７に対して相対的に回転すると、第２主動ギア１８１が該左の支持体１０６および右の支持体１０７に対して相対的に回転するため、第２〜第６中間ギア１８２〜１８６が夫々回転すると共に第１従動ギア１８７が回転するようになる。
【００５６】
前記第３中間ギア１８３には、図１０(ａ)に示すように、第２係止部としての第２係止突部１８８が設けられている。この第２係止突部１８８は、第３中間ギア１８３の側面において、該第３中間ギア１８３の回転中心を中心とした円弧状に突出した突部である。そして、第２係止突部１８８は、右の支持体１０７に形成された前記開口１６２内に常に突出しており、第３中間ギア１８３がギア支持軸１５５を中心として回転する際に該開口１６２内を移動するようになる。
【００５７】
前記第１主動ギア１７９には、図８および図９に示すように、第２検出片(第２被検出部)１８９が設けられている。この第２検出片１８９は、前記作動機構取付台１４０の右取付部１４３に取り付けられた前記第２位置検出センサ２４２により検出される。そして、第２検出片１８９は、第１可動体１０１が第１初期姿勢にある場合に第２位置検出センサ２４２により検出されると共に、該第１可動体１０１が第１初期姿勢から第１移動姿勢に向けて移動した際に第２位置検出センサ２４２により検出されないように形成されている。すなわち、第２位置検出センサ２４２は、第１可動体１０１が第１初期姿勢にあることを検出するためのものである。なお、第２検出片１８９は、第１初期姿勢に保持された第１可動体１０１を支持した左右の支持体１０６,１０７が初期位置および移動位置の間を回転しながら移動する間は、前記第２位置検出センサ２４２により検知されるよう、右の支持体１０７の回転方向に長い扇状に形成されている(図９参照)。
【００５８】
(動力断続機構１９０について)
実施例では、前記第１作動機構１０４における第１駆動モータ１７５の動力を第１可動体１０１に伝達したり、該第１駆動モータ１７５の動力が該第１可動体１０１に伝達するのを遮断する動力断続機構(動力断続手段)１９０を備えている。この動力断続機構１９０は、前述すると共に図１０〜図１２に示すように、右の支持体１０７に配設された動力断続部材１９１を備えており、該動力断続部材１９１の姿勢変位に基づいて、第１駆動モータ１７５の動力が第１可動体１０１に伝達するのを規制する伝達規制状態と、第１駆動モータ１７５の動力を第１可動体１０１に伝達するのを許容する伝達許容状態とに態様が切り替わるようになっている。すなわち、動力断続部材１９１が前記伝達規制姿勢(図１１参照)に姿勢変位することで、動力断続機構１９０は伝達規制状態となり、動力断続部材１９１が前記伝達許容姿勢(図１２参照)に姿勢変位することで、動力断続機構１９０は伝達許容状態となる。
【００５９】
(動力断続部材１９１について)
前記動力断続部材１９１は、図１０〜図１２に示すように、前記右の支持体１０７に設けられた動力断続部材取付部１６１に挿通すると共に軸回りに回転可能に支持された軸部１９２と、この軸部１９２に一体に形成され、該軸部１９２の回転に伴って右の支持体１０７に対して揺動変位する本体部１９３とを備えている。本体部１９３には、前記右の支持体１０７に設けられた前記開口１６２に対向する位置に、該開口１６２に向けて突出した第１係止突部１９４が形成されている。この第１係止突部１９４は、動力断続部材１９１の伝達規制姿勢においては前記開口１６２内へ突入し、該動力断続部材１９１の伝達許容姿勢においては該開口１６２から外方へ脱出して退避するようになっている。そして、動力断続部材１９１の伝達規制姿勢において第１係止突部１９４が開口１６２内に突入した状態では、前記第３中間ギア１８３に形成された第２係止突部１８８が該開口１６２内を移動することが規制され、該第３中間ギア１８３の回転規制に伴って支持ピン１８０の回転を不能とする前記伝達規制状態となる。一方、動力断続部材１９１の伝達許容姿勢において第１係止突部１９４が開口１６２内から脱出した状態では、第３中間ギア１８３に形成された第２係止突部１８８が該開口１６２内を移動することが許容され、該第３中間ギア１８３の回転に伴って支持ピン１８０の回転を可能とする伝達許容状態となる。
【００６０】
また、前記動力断続機構１９０は、図１０〜図１２に示すように、前記動力断続部材１９１を前記伝達規制姿勢に保持するための第１姿勢制御部１９８と、該動力断続部材１９１を前記伝達規制姿勢および伝達許容姿勢の間で姿勢変位させるための第２姿勢制御部１９９とを備えている。これに基づいて、前記動力断続部材１９１は、第１姿勢制御部１９８に当接する第１当接部１９５を備えている。この第１当接部１９５は、本体部１９３における右の支持体１０７側と反対側の側面(実施例では左側面)に、第１姿勢制御部１９８側へ突出した状態に形成されている。更に、動力断続部材１９１は、前記第２姿勢制御部１９９に当接する第２当接部１９６を備えている。この第２当接部１９６は、本体部１９３における前記軸部１９２と反対側の端部(実施例では後端部)に、第２姿勢制御部１９９側へ突出した状態に形成されている。
【００６１】
(第１姿勢制御部１９８について)
前記第１姿勢制御部１９８および第２姿勢制御部１９９は、前記右の支持体１０７の初期位置および移動位置の間での移動に基づいて、動力断続部材１９１が前記伝達規制姿勢および伝達許容姿勢の間で姿勢変位するように構成されている。図１０〜図１２に示すように、第１姿勢制御部１９８は、前記装置本体１０３の下部に取り付けられた下カバー部材１３８において、前記右の支持体１０７に隣接した位置において上方へ向けて立設された壁部１３８ａに設けられている。第１姿勢制御部１９８は、前記壁部１３８ａにおいて前記動力断続部材１９１に対向する側に、右の支持体１０７の移動に伴って前記動力断続部材１９１が移動する方向(実施例では前後方向)へ延在している。そして第１姿勢制御部１９８は、動力断続部材１９１が前記伝達規制姿勢において、右の支持体１０７と反対側(左側)から前記第１当接部１９５と当接するように形成されている。また、第１姿勢制御部１９８は、図７(ａ)に示す前記初期位置と図７(ｂ)に示す位置(移動位置の手前となる中途位置)との間に右の支持体１０７が位置する場合に、前記第１当接部１９５が当接するように形成されている。すなわち、第１動力断続部材１９１は、右の支持体１０７が前記初期位置および中途位置の間に位置する際に前記伝達規制姿勢に保持される。従って、右の支持体１０７が前記初期位置および中途位置の間に位置する際には、第１作動機構１０４が前記伝達規制状態に維持されるようになっている。
【００６２】
(第２姿勢制御部１９９について)
図１０〜図１２に示すように、前記第２姿勢制御部１９９は、前記装置本体１０３の後フレーム部材１１０において、前記右の支持体１０７に配設された動力断続部材１９１の後方となる位置に設けられている。第２姿勢制御部１９９は、右の支持体１０７の移動に伴って前記動力断続部材１９１が移動する方向(実施例では前後方向)と交差する方向(実施例では左右方向)へ延在している。そして第２姿勢制御部１９９は、右の支持体１０７が図７(ｂ)に示す中途位置と図７(ｃ)に示す移動位置との間に位置する場合に、前記第２当接部１９６が当接するように形成されている。また第２姿勢制御部１９９は、左右方向において、右端側が動力断続部材１９１側へ延出していると共に、該右端から左端にいくにつれて後方へ変位するように傾斜している。実施例では、第２姿勢制御部１９９が、右端から左端にいくにつれて後方へ凹となる曲線状に形成されている。そして、右の支持体１０７が前記中途位置に位置した際に、第２当接部１９６が第２姿勢制御部１９９の右端近傍に当接し、該右の支持体１０７が該中途位置および移動位置の間を移動する際に、該第２当接部１９６が第２姿勢制御部１９９に摺接すると共に、該右の支持体１０７が移動位置に位置した際に、該第２当接部１９６が該第２姿勢制御部１９９の左端近傍に当接するように構成されている。これにより、右の支持体１０７が中途位置から移動位置に向けて回転しながら移動する際には、第２当接部１９６が第２姿勢制御部１９９に摺接することで、動力断続部材１９１が前記伝達規制姿勢から伝達許容姿勢へ姿勢変位する。また、右の支持体１０７が移動位置から中途位置に向けて回転しながら移動する際には、第２当接部１９６が第２姿勢制御部１９９に摺接することで、動力断続部材１９１が前記伝達許容姿勢から伝達規制姿勢へ姿勢変位するようになっている。
【００６３】
従って、前記動力断続機構１９０が伝達規制状態(動力断続部材１９１が前記伝達規制姿勢)になっている場合には、第１作動機構１０４の第１駆動モータ１７５が駆動しても、第２主動ギア１８１、第２〜第６中間ギア１８２〜１８６および第１従動ギア１８７の右の支持体１０７に対する相対的な回転が規制される。これにより、第１駆動モータ１７５が駆動しても、第１可動体１０１の姿勢変位が規制される。そして、左右の支持体１０６,１０７に対する前記支持シャフト１７６の相対的な回転が規制されるため、支持シャフト１７６の回転に伴って、左右の支持体１０６,１０７が初期位置および移動位置の間を回転しながら移動するようになる。
【００６４】
一方、前記動力断続機構１９０が伝達許容状態(動力断続部材１９１が前記伝達許容姿勢)になっている場合には、第１作動機構１０４の第１駆動モータ１７５が駆動すると、第２主動ギア１８１、第２〜第６中間ギア１８２〜１８６および第１従動ギア１８７の右の支持体１０７に対する相対的な回転が許容される。これにより、第１駆動モータ１７５が駆動すると、第１可動体１０１の姿勢変位が可能となる。これにより、左右の支持体１０６,１０７が夫々の移動位置にある場合には、該支持体１０６,１０７に対する支持シャフト１７６の相対的な回転が許容されるため、支持シャフト１７６の回転に伴って、第２主動ギア１８１、第２〜第６中間ギア１８２〜１８６および第１従動ギア１８７が回転する。従って、伝達許容状態において、第１駆動モータ１７５を駆動させると、第１可動体１０１が第１初期姿勢および第１移動姿勢の間を姿勢変位するようになる。
【００６５】
(第２作動機構１０５について)
前記第２作動機構１０５は、図１３および図１４に示すように、前記左右の保持部材(保持手段)１０８,１０８を姿勢変位させると共に、前記左右の第２可動体１０２,１０２を、第２初期姿勢および第２移動姿勢の間で姿勢変位させる。第２作動機構１０５は、図８に示すように、駆動手段としての前記第２駆動モータ２０１と、該第２駆動モータ２０１の駆動により作動する作動部材２０２と、該作動部材２０２と連係すると共に左右の保持部材１０８,１０８に夫々連係された前記左右の連係部材２０３,２０３とを備えている。第２駆動モータ２０１は、前記作動機構取付台１４０における下取付部１４４に対して前側から取り付けられ、下取付部１４４に形成された挿通孔を介して該下取付部１４４の後側へ延出した駆動軸に第２駆動ギア２０４が固定されている。
【００６６】
前記作動部材２０２は、図１３および図１５に示すように、軸心が前後方向を向くように前記下取付部１４４に支持された支軸２０５に回転自在に配設されている。この作動部材２０２は、前記第２駆動ギア２０４に噛合する第２従動ギア２０７を備えた本体部２０６と、該本体部２０６に組み付けられるカム部２０８とを備えている。本体部２０６は円板状に形成されており、外周面には、位置検出手段としての第３位置検出センサ２４３に検出される第３検出片２０９が設けられている。なお、第３位置検出センサ２４３は、作動機構取付台１４０の後取付部１４１に取り付けられている。
【００６７】
前記カム部２０８は、図８および図１３に示すように、円板状の部材における直径方向の対向する部分を略平行に切除した所謂たわら形状に形成された部材である。そして、カム部２０８は、略平行に対向する外縁が対向する方向(以降「短手方向」という)の幅寸法よりも、該短手方向と直交する方向であって両円弧外縁が対向する方向(以降「長手方向」という)の幅寸法が大きくなっている。そして、カム部２０８は、前記第２駆動モータ２０１の駆動により作動部材２０２が回転することで、短手方向が左右方向に向いた初期姿勢(図８、図１３(ａ)参照)と、該初期姿勢から９０度回転して長手方向が左右方向に向いた作動姿勢(図１３(ｂ)参照)とに姿勢変位する。ここで、カム部２０８は、前記左右の連係部材２０３,２０３の間に位置しており、該カム部２０８の初期姿勢では、両連係部材２０３,２０３が図１３(ａ)に示す初期位置となり、該カム部２０８が初期姿勢から作動姿勢に姿勢変位する従って両連係部材２０３,２０３を左右に離間する方向へ押すことで、両連係部材２０３,２０３は、図１３(ｂ)に示す移動位置までスライド移動するようになっている。
【００６８】
前記左右の連係部材２０３,２０３は、図８および図１３に示すように、前記後フレーム部材１１０に形成された前記ガイド突部１１４ａが係合する細長の係合孔２０３ｄと、前記ガイド孔１１４ｂに係合する係合突部２０３ｅとが形成されている。これにより、左右の連係部材２０３,２０３は、前記ガイド突部１１４ａおよびガイド孔１１４ｂに係止された状態で、後フレーム部材１１０に対して左右方向へのスライド移動が可能に配設されている。これら左右の連係部材２０３,２０３は、前記作動部材２０２側の第１端部２０３ａが前記カム部２０８に対向していると共に、長手方向における該第１端部２０３ａと反対側の第２端部２０３ｂ側で、対応する左右の保持部材１０８,１０８に夫々連係されている。そして、左右の連係部材２０３,２０３は、作動部材２０２のカム部２０８が前記初期姿勢となっている場合に、前記コイルバネ２２３,２２３の弾力により左右の保持部材１０８,１０８が初期位置に付勢されることで、図１３(ａ)に示す初期位置に保持される。また、左右の連係部材２０３,２０３は、初期姿勢から作動姿勢へ回転するカム部２０８が第１端部２０３ａに当接して該カム部２０８に押されることで、移動位置までスライド移動する。なお、左右の連係部材２０３,２０３は、前記カム部２０８が作動姿勢から初期姿勢へ回転するに伴って、前記コイルバネ２２３,２２３の復帰弾力により付勢された左右の保持部材１０８,１０８の姿勢変位により、前記初期位置までスライド移動するようになる。
【００６９】
(左右の保持部材１０８,１０８について)
図５、図１４〜図１６に示すように、前記左の保持部材１０８は、前記装置本体１０３の左フレーム部材１１２の左外側部に姿勢変位可能に配設されており、前記右の保持部材１０８は、前記装置本体１０３の右フレーム部材１１３の右外側部に姿勢変位可能に配設されている。左右の保持部材１０８,１０８は、左右方向が厚み方向となる略四角形状のブロック体である。そして、上縁における前端および後端には上方に延出する軸支持片２１１,２１１が設けられており、左右のフレーム部材１１２,１１３に設けられた前記左軸支持部１１９または右軸支持部１２５に挿通して支持される前記左右の支持軸１２０,１２６の前端部および後端部に、各軸支持片２１１,２１１が支持されるようになっている。これにより、左右の保持部材１０８,１０８は、左支持軸１２０または右支持軸１２６に支持された状態で、下端側が左右方向へ変位するように揺動変位が可能となっている。
【００７０】
また、図８および図９に示すように、左右の保持部材１０８,１０８は、夫々の後縁下部に、左右の連係部材２０３,２０３と係合する連係突部２１３が設けられている。この連係突部２１３は、左右の保持部材１０８,１０８の後縁から後方へ突出した凸部であり、前記連係部材２０３の第２端部２０３ｂ側に形成された連係孔２０３ｃに前側から係合するようになっている。これにより、左右の保持部材１０８,１０８は、前記第２駆動モータ２０１の駆動に伴って左右の連係部材２０３,２０３が相互に近接・離間する方向へ移動することにより、図１３(ａ)および図１４(ａ)に示す保持姿勢および図１３(ｂ)および図１４(ｂ)に示す解除姿勢の間を回転しながら揺動するようになる。
【００７１】
また、前記左の保持部材１０８および右の保持部材１０８には、図９(ａ)に示すように、前記左右の支持体１０６,１０７に設けられた前記規制ピン１５８が係合する前記第１規制凹部(第２係合部)２１４および第２規制凹部(第３係合部)２１５が設けられている。第１規制凹部２１４および第２規制凹部２１５は、前記左右のフレーム部材１１２,１１３に設けられた前記円弧開口１２１,１２７に対向する位置に設けられている。すなわち、第１規制凹部２１４は、円弧開口１２１,１２７における前端側に位置するように設けられ、第２規制凹部２１５は、該円弧開口１２１,１２７における後端側に位置するように設けられている。そして、夫々の第１規制凹部２１４は、左右の支持体１０６,１０７が初期位置において、左右の保持部材１０８,１０８が保持姿勢となっている場合に、該支持体１０６,１０７の移動方向である前後方向において前記規制ピン１５８と重なる。これにより、左右の保持部材１０８,１０８が初期位置となり、規制ピン１５８,１５８が第１規制凹部２１４,２１４に係止することで、左右の支持体１０６,１０７は、初期位置に停止保持されると共に移動位置への移動が規制される(図７(ａ)参照)。また、夫々の第１規制凹部２１４,２１４は、左右の保持部材１０８,１０８が解除姿勢となっている場合に、該支持体１０６,１０７の移動方向である前後方向で前記規制ピン１５８,１５８と重ならない(図１４(ｂ)参照)。これにより、左右の保持部材１０８,１０８が解除姿勢となり、規制ピン１５８,１５８と第１規制凹部２１４,２１４との係止が解除されることで、左右の支持体１０６,１０７は、初期位置から移動位置への移動が許容される。
【００７２】
一方、夫々の第２規制凹部２１５,２１５は、左右の支持体１０６,１０７が移動位置において、左右の保持部材１０８,１０８が保持姿勢となっている場合に、該支持体１０６,１０７の移動方向である前後方向において前記規制ピン１５８,１５８と重なる(図１４(ａ))。これにより、左右の保持部材１０８,１０８が移動位置となり、規制ピン１５８,１５８が第２規制凹部２１５,２１５に係止することで、左右の支持体１０６,１０７は、移動位置に停止保持されると共に初期位置への移動が規制される(図７(ｃ)参照)。また、夫々の第２規制凹部２１５,２１５は、図１４(ｂ)に示すように、左右の保持部材１０８,１０８が解除姿勢となっている場合に、該支持体１０６,１０７の移動方向である前後方向で前記規制ピン１５８,１５８と重ならない。これにより、左右の保持部材１０８,１０８が解除姿勢となり、規制ピン１５８,１５８と第１規制凹部２１４,２１４との係止が解除されることで、左右の支持体１０６,１０７は、移動位置から初期位置への移動が許容される。
【００７３】
(連係レバー２２０,２２０について)
前記左右の保持部材１０８,１０８には、図８に示すように、左右の第２可動体１０２,１０２と連係する連係レバー２２０,２２０が設けられている。すなわち、左の保持部材１０８には、該保持部材１０８の上部前側から左方向へ延出する連係レバー２２０が設けられている。左の保持部材１０８に設けられた連係レバー２２０は、装置本体１０３の前フレーム部材１１１における左支持部１３１の後側に位置している(図５(ｂ)参照)。また、右の保持部材１０８には、該保持部材１０８の上部前側から右方向へ延出する連係レバー２２０が設けられている。右の保持部材１０８に設けられた連係レバー２２０は、装置本体１０３の前フレーム部材１１１における右支持部１３２の後側に位置している(図５(ｂ)、図９(ｂ)参照)。各連係レバー２２０,２２０の前面には、対応する第２可動体１０２に形成された係止レバー２３１,２３１が係止する連係孔２２１が、前方へ開口して形成されている。なお、各連係レバー２２０,２２０は、対応する保持部材１０８,１０８と別体に形成されて該保持部材１０８にネジにより固定されているが、該連係レバー２２０,２２０は対応する保持部材１０８,１０８と一体に形成されたものであってもよい。
【００７４】
前記連係レバー２２０,２２０は、図１３(ａ)および図１４(ａ)に示すように、保持部材１０８,１０８が保持姿勢となっている場合には、該保持部材１０８,１０８から側方へ略水平に延出した第１姿勢となる。そして、前記連係レバー２２０,２２０は、図１３(ｂ)および図１４(ｂ)に示すように、保持部材１０８,１０８が保持姿勢から解除姿勢となった場合には、該保持部材１０８,１０８から先端にいくにつれて上方へ変位した傾斜状に延出した第２姿勢となる。従って、連係レバー２２０が第１姿勢および第２姿勢の間を移動することで、該連係レバー２２０に設けられた前記連係孔２２１(図９(ａ)参照)が上下方向へ移動するようになる。なお、連係レバー２２０,２２０に設けられた前記連係孔２２１は、図９(ａ)に示すように、左支持部１３１または右支持部１３２に設けられた前記挿通孔１３７に対して後側から対向する位置に設けられている。
【００７５】
(コイルバネ２２３,２２３について)
また、前記連係レバー２２０,２２０には、図８に示すように、前記コイルバネ２２３の他端が掛止する掛止片２２２が設けられている。そして、前記コイルバネ２２３は、連係レバー２２０の掛止片２２２と、前記左右のフレーム部材１１２,１１３に設けられた前記左掛止片１２２または右掛止片１２８との間に架設されている。ここで、掛止片２２２と、左掛止片１２２または右掛止片１２８とに架設された各コイルバネ２２３,２２３は、連係レバー２２０,２２０が前記第１姿勢となっている場合に、適宜の伸長変形してテンションが掛かった状態となっており、該連係レバー２２０,２２０が前記第２姿勢に姿勢変位した際には、更に伸長変形するように構成されている。これにより、前記第２作動機構１０５における作動部材２０２のカム部２０８が前記左右の連係部材２０３,２０３を押していない場合には、前記コイルバネ２２３の復帰弾力により連係レバー２２０が初期姿勢に付勢保持され、これに伴って左右の保持部材１０８,１０８が保持姿勢へ付勢保持される。
【００７６】
(第２可動体１０２,１０２について)
前記左右の第２可動体１０２,１０２は、基本的な構成は同じである。左の第２可動体１０２は、前記前フレーム部材１１１の左支持部１３１に回転しながら揺動可能に支持され、右の第２可動体１０２は、該前フレーム部材１１１の右支持部１３２に回転しながら揺動可能に支持されている。左右の第２可動体１０２,１０２は、図９(ａ)および図１６に示すように、第３装飾部材２２５と、該第３装飾部材２２５に裏側から組み付けられるベース部材２２６と、これら第３装飾部材２２５およびベース部材２２６の間に配設される第２発光基板２２７、レンズ部材２２８および光拡散シート２２９とから構成されている。第３装飾部材２２５は、所要の外縁輪郭形状に形成されて透光性を有する透明または半透明の部材である。そして、第３装飾部材２２５は、外面および内面が凹凸状に形成されていると共に、外面には所要のデザインが施されている。
【００７７】
前記ベース部材２２６は、図１６に示すように、第３装飾部材２２５より一回り小さく、前記第２発光基板２２７を後側からカバーする板状部材である。ベース部材２２６は、第２発光基板２２７、レンズ部材２２８および光拡散シート２２９を、第３装飾部材２２５とで挟んだ状態で該第３装飾部材２２５にネジにより固定される。そして、ベース部材２２６の後面には、左右方向に延在する後軸支持部２３０が設けられている。この後軸支持部２３０は、左右方向に開口しており、前記前フレーム部材１１１の左支持部１３１および右支持部１３２に設けられた前軸支持部１３５,１３５に支持される前支持軸１３６が挿通される(図９(ｂ)参照)。すなわち、左右の第２可動体１０２,１０２のベース部材２２６は、左右方向へ軸心が延在する前支持軸１３６に支持された状態で左支持部１３１または右支持部１３２に配設されている。また、図９(ａ)に示すように、前記後軸支持部２３０には、後方へ延出した前記係止レバー２３１が形成されている。この係止レバー２３１は、左支持部１３１または右支持部１３２に形成された前記挿通孔１３７を介して該左支持部１３１または右支持部１３２の後方へ延出し、前記連係レバー２２０に形成された連係孔２２１に前側から係止している。従って、前記第２作動機構１０５の作動または前記コイルバネ２２３の復帰弾力により、連係レバー２２０が第１姿勢および第２姿勢の間を姿勢変位することで、係止レバー２３１の後端側が上下に移動するようになり、ベース部材２２６が前支持軸１３６を中心として回転しながら揺動変位する。
【００７８】
前記第２発光基板２２７は、図１６に示すように、第３装飾部材２２５の裏面と対向する面に、複数の第３ＬＥＤチップ２２７ａが分散的に配設されている。これら第３ＬＥＤチップ２２７ａは、前記演出制御基板７１による制御に基づいて発光、点滅および消灯制御される。そして、第２発光基板２２７の各第３ＬＥＤチップ２２７ａが発光することで、第３装飾部材２２５が裏側から照明されて該第３装飾部材２２５が明輝するようになる。前記レンズ部材２２８は、図１６に示すように、第２発光基板２２７と第３装飾部材２２５の裏面との間に配設されている。レンズ部材２２８は、板状に形成されると共に、第２発光基板２２７と対向する裏面の全体が、所要の凹凸模様が形成された光拡散面となっている。これにより、第２発光基板２２７の各第３ＬＥＤチップ２２７ａが発光した際には、レンズ部材２２８の裏面に照射した光が拡散されながら、該レンズ部材２２８の表面側へ透過するようになっている。また、前記光拡散シート２２９は、前記レンズ部材２２８と第３装飾部材２２５の裏面との間に配設されている。光拡散シート２２９は、第３装飾部材２２５側の表面が所謂磨りガラス状に処理されており、光拡散シート２２９の裏面に照射された光は、拡散されて該光拡散シート２２９の全体が略均一に明輝するようになる。このように光拡散シート２２９が均一に明輝することで、第３装飾部材２２５の全体が略均一に明輝する。
【００７９】
前記左右の第２可動体１０２,１０２は、図７(ａ)および図９(ａ)に示すように、前記第２作動機構１０５の非作動時には、前記コイルバネ２２３,２２３の復帰弾力により前記連係レバー２２０が前記第１姿勢に保持されていることで、前記第３装飾部材２２５が前方に向いた第２初期姿勢に停止保持される。そして、前記第２作動機構１０５の作動により前記連係レバー２２０が前記第２姿勢に姿勢変位するに従い、前記第３装飾部材２２５が前方斜め下方に向いた第２移動姿勢に姿勢変位する(図７(ｂ)参照)。また、左右の第２可動体１０２,１０２は、第２姿勢に保持されている際に前記第２作動機構１０５が初期状態に復帰する際には、前記コイルバネ２２３,２２３の復帰弾力により前記連係レバー２２０が第２姿勢から第１姿勢へ姿勢変位するのに連動して、前記第２移動姿勢から第２初期姿勢に姿勢変位する。
【００８０】
なお、前記左右の第２可動体１０２,１０２が夫々の第２初期姿勢にある場合には、前記第１初期姿勢および第１移動姿勢の間を移動する前記第１可動体１０１の移動領域と一部が重なっている。しかし、前記左右の第２可動体１０２,１０２が夫々の第２移動姿勢にある場合には、前記第１初期姿勢および第１移動姿勢の間を移動する前記第１可動体１０１の移動領域から退避した状態となる。従って、左右の第２可動体１０２,１０２を第２移動姿勢とすることで、前記第１可動体１０１の第１初期姿勢および第１移動姿勢の間の姿勢変位において、該第２可動体１０２,１０２が接触することが回避されるようになっている。
【００８１】
(発光装飾体２３５について)
図９(ｂ)および図１６に示すように、前記装置本体１０３の前フレーム部材１１１における前板部１３０の前側に、発光装飾体２３５が配設されている。この発光装飾体２３５は、第４装飾部材２３６と、該第４装飾部材２３６の後側に配設されるレンズ部材２３７と、該レンズ部材２３７の後側に配設される第３発光基板２３８とを備えている。第４装飾部材２３６は、所要の外縁輪郭形状に形成されて透光性を有する透明または半透明の部材である。そして、第４装飾部材２３６は、外面および内面が凹凸状に形成されていると共に、外面には所要のデザインが施されている。前記第３発光基板２３８は、複数の第４ＬＥＤチップ２３９が分散的に配設されている。これら第４ＬＥＤチップ２３９は、前記演出制御基板７１による制御に基づいて発光、点滅および消灯制御される。そして、第３発光基板２３８の各第４ＬＥＤチップ２３９が発光することで、第４装飾部材２３６が裏側から照明されて該第４装飾部材２３６が明輝するようになる。前記レンズ部材２３７は、板状に形成されると共に、第３発光基板２３８と対向する裏面の全体が、所要の凹凸模様が形成された光拡散面となっている。これにより、第３発光基板２３８の各第４ＬＥＤチップ２３９が発光した際には、レンズ部材２３７の裏面に照射した光が拡散されながら、該レンズ部材２３７の表面側へ透過するようになっており、これにより第４装飾部材２３６がの全体が明輝する。
【００８２】
〔実施例の作用〕
次に、前述のように構成された実施例に係るパチンコ機１０の作用につき説明する。
【００８３】
(可動演出装置１００の初期状態について)
前述のように構成された実施例のパチンコ機１０では、前記演出制御基板７１による可動体演出の実行可否判定の結果により、可動演出装置１００を作動しないことが決定された場合は、可動演出装置１００は初期状態に保持される。初期状態の可動演出装置１００は、第１位置検出センサ２４１が第１検出片１６０を検知し、第２位置検出センサ２４２が第２検出片１８９が検知し、第３位置検出センサ２４３が第３検出片２０９を検出している状態である。これにより、図５および図７(ａ)に示すように、第１作動機構１０４が待機状態で停止していることで、左右の支持体１０６,１０７は初期位置に停止していると共に、第１可動体１０１は、該左右の支持体１０６,１０７に対して第１初期姿勢に保持される。また、第２作動機構１０５が待機状態に停止していることで、左右の保持部材１０８,１０８は夫々の保持姿勢に保持されている。これにより、左右の支持体１０６,１０７に形成された前記規制ピン１５８と、保持部材１０８に形成された第１規制凹部２１４とが係止した状態となっており、左右の支持体１０６,１０７は初期位置に停止保持される。また、動力断続機構１９０の動力断続部材１９１が伝達規制姿勢に保持されていることで、該動力断続部材１９１に形成された前記第１係止突部１９４が開口１６２内に突入していることで、第１作動機構１０４の第２〜第６中間ギア１８２〜１８６および第１従動ギア１８７の回転が規制され、左右の支持体１０６,１０７に対する第１可動体１０１の姿勢変位が規制されて、該第１可動体１０１が第１初期姿勢に保持される。
【００８４】
ここで、設置部材５５の設置壁部５６における上板部５６ａに配設された該可動演出装置１００は、図２に示すように、前記初期状態では、第１可動体１０１が該上板部５６ａの前方に位置していて、表示開口５８に臨んだ図柄表示装置６０の表示部６１の前側に位置していない。そして、枠状装飾体５０の演出窓口５０ａには、第１可動体１０１の第１装飾部材１６５および各第２可動体１０２,１０２の第３装飾部材２２５が視認される。
【００８５】
前記可動演出装置１００は、初期状態において、左右の支持体１０６,１０７が初期位置にあると共に第１可動体１０１が第１初期姿勢にある場合に、左右の支持体１０６,１０７に設けられた各規制ピン１５８,１５８が、左右の保持部材１０８,１０８に設けられた第１規制凹部２１４,２１４の夫々に係止した状態となる。従って、左右の支持体１０６,１０７が夫々の初期位置に安定的に支持されると共に、第１可動体１０１の重量を左右の支持体１０６,１０７で受け止めることができる。これにより、第１可動体１０１を第１初期姿勢で安定的に停止保持することができる。また、第１可動体１０１および左右の支持体１０６,１０７の重量が第１駆動モータ１７５に作用し難くなり、該第１駆動モータ１７５や各ギア１７７〜１７９,１８１〜１８７の破損や故障が発生することを防止し得る。
【００８６】
(可動演出装置１００の動作態様について)
前記演出制御基板７１が、可動体演出の実行可否判定の結果により、可動演出装置１００を作動させることを決定した場合には、該演出制御基板７１は可動演出装置１００に所定の制御信号を送信する。なお、制御信号として、第１駆動モータ１７５用の駆動制御信号や、第２駆動モータ２０１用の駆動制御信号や、第１発光基板１６７、第２発光基板２２７,２２７および第３発光基板２３８に対する発光制御信号等が送信される。なお各制御信号は、前記中継基板１４７を介して、第１駆動モータ１７５、第２駆動モータ２０１、第１〜第３発光基板１６７,２２７,２２７,２３８へ入力される。
【００８７】
(第１可動体１０１および第２可動体１０２の移動位置への姿勢変位)
演出制御基板７１からの制御信号が可動演出装置１００に入力されると、先ず、第２作動機構１０５の第２駆動モータ２０１が、駆動制御されて回転駆動を開始する。これにより、前記作動部材２０２が回転してカム部２０８が第１姿勢から第２姿勢へ回転することで、左右の連係部材２０３,２０３が互いに離間する方向へスライド移動する(図１３(ｂ)参照)。左右の連係部材２０３,２０３のスライド移動に伴って、左右の保持部材１０８,１０８が各々の保持姿勢から解除姿勢へ姿勢変位する(図１３(ｂ)参照)。これにより、左の支持体１０６に設けられた規制ピン１５８と左の保持部材１０８に設けられた第１規制凹部２１４との係止状態が解除されると共に、右の支持体１０７に設けられた規制ピン１５８と右の保持部材１０８に設けられた第１規制凹部２１４との係止状態が解除される。従って、初期位置にある左右の支持体１０６,１０７が移動位置に向けて移動することが許容された状態となる。
【００８８】
そして、第２駆動モータ２０１の駆動によって左の保持部材１０８が保持姿勢から解除姿勢へ姿勢変位することに伴い、左の第２可動体１０２が第２初期姿勢から第２移動姿勢へ姿勢変位する。また、第２駆動モータ２０１の駆動によって右の保持部材１０８が保持姿勢から解除姿勢へ姿勢変位することに伴い、右の第２可動体１０２が第２初期姿勢から第２移動姿勢へ姿勢変位する。これにより、左右の第２可動体１０２,１０２は、第１可動体１０１の移動領域から退避する。
【００８９】
第２駆動モータ２０１の駆動に伴って、左右の保持部材１０８,１０８が解除姿勢となると共に、左右の第２可動体１０２,１０２が第２移動姿勢へ姿勢変位したら、該第２駆動モータ２０１を停止制御した後、第１作動機構１０４の第１駆動モータ１７５を、駆動制御して回転駆動を開始する。このとき、前記動力断続部材１９１が前記伝達規制姿勢に保持されていることにより、第２〜第６中間ギア１８２〜１８６および第１従動ギア１８７の回転が規制された伝達規制状態となっている。このため、第１駆動モータ１７５の駆動により回転する支持シャフト１７６は、左右の支持体１０６,１０７に対して相対的に回転することが規制されるため、該左右の支持体１０６,１０７は、該支持シャフト１７６の回転に追従して初期位置から移動位置に向けて回転しながら移動する。このとき、左右の支持体１０６,１０７が初期位置から前記中途位置(図７(ｂ)参照)まで移動する間は、動力断続部材１９１が伝達規制姿勢に維持されて動力断続機構１９０が伝達規制状態となっていることで、第１可動体１０１は、左右の支持体１０６,１０７に対して第１初期姿勢に停止保持される。但し、左右の支持体１０６,１０７が支持シャフト１７６を中心にして回転するため、左右の支持体１０６,１０７が中途位置まで移動した際に、第１可動体１０２は、前方斜め下方を指向した状態となっている。
【００９０】
左右の支持体１０６,１０７が前記中途位置に到達すると、動力断続部材１９１の伝達規制姿勢への保持が解除される。そして、左右の支持体１０６,１０７が中途位置から移動位置に向けて移動するに伴い、動力断続部材１９１が伝達規制姿勢から伝達許容姿勢へ徐々に姿勢変位し、左右の支持体１０６,１０７が移動位置へ移動した際には、動力断続部材１９１が伝達許容姿勢となって動力断続機構１９０は伝達許容状態となる。このため、第１駆動モータ１７５の駆動により支持シャフト１７６が回転すると、左右の支持体１０６,１０７が移動位置に停止していることで、第２〜第６中間ギア１８２〜１８６および第１従動ギア１８７の回転が許容される。従って、支持シャフト１７６の回転に連動して、左右の支持体１０６,１０７における支持ピン１８０,１８０が回転して、第１可動体１０１が、第１初期姿勢から第１移動姿勢に向けて回転しながら姿勢変位する。そして、第１可動体１０１が第１移動姿勢となったら、第１駆動モータ１７５を停止制御する。
【００９１】
前記第１駆動モータ１７５を停止制御した後、前記第２駆動モータ２０１を逆駆動制御して、作動部材２０２の回転によりカム部２０８を第２姿勢から第１姿勢へ回転させることで、左右の保持部材１０８,１０８は、前記コイルバネ２２３,２２３の復帰弾力により、解除姿勢から保持姿勢へ姿勢変位する。この際に、左の支持体１０６に設けられた規制ピン１５８と左の保持部材１０８に設けられた第２規制凹部２１５とが係止状態となると共に、右の支持体１０７に設けられた規制ピン１５８と右の保持部材１０８に設けられた第２規制凹部２１５とが係止状態となる(図１４(ａ)参照)。また、左右の第２可動体１０２,１０２は、第２移動姿勢から第２初期姿勢へ回転しながら姿勢変位する。従って、左右の支持体１０６,１０７が夫々の移動位置に安定的に支持されると共に、第１可動体１０１の重量を左右の支持体１０６,１０７で受け止めることができる。これにより、第１可動体１０１を第１移動姿勢で安定的に停止保持することができる。また、第１可動体１０１および左右の支持体１０６,１０７の重量が第１駆動モータ１７５に作用し難くなり、該第１駆動モータ１７５や各ギア１７７〜１７９,１８１〜１８７の破損や故障が発生することを防止し得る。
【００９２】
ここで、該可動演出装置１００は、図４に示すように、前記動作状態では、第１可動体１０１が表示開口５８の前方まで移動して図柄表示装置６０の表示部６１の前側に位置すると共に、第２装飾部材１６６が前側に位置して視認される。また、左右の第２可動体１０２,１０２は、表示開口５８の上方に位置している。これにより、動作状態の可動演出装置１００は、初期状態よりも大きく形態が変位するため、演出効果が高められて、遊技の興趣の向上に寄与する。
【００９３】
(第１可動体１０１および第２可動体１０２の初期位置への姿勢変位)
演出制御基板７１からの制御信号が可動演出装置１００に入力されると、先ず、第２作動機構１０５の第２駆動モータ２０１が、駆動制御されて回転駆動を開始する。これにより、前記作動部材２０２が回転してカム部２０８が第１姿勢から第２姿勢へ回転することで、左右の連係部材２０３,２０３が互いに離間する方向へスライド移動する(図１３(ｂ)参照)。左右の連係部材２０３,２０３のスライド移動に伴って、左右の保持部材１０８,１０８が各々の保持姿勢から解除姿勢へ姿勢変位する(図１４(ｂ)参照)。これにより、左の支持体１０６に設けられた規制ピン１５８と左の保持部材１０８に設けられた第２規制凹部２１５との係止状態が解除されると共に、右の支持体１０７に設けられた規制ピン１５８と右の保持部材１０８に設けられた第２規制凹部２１５との係止状態が解除される。従って、移動位置にある左右の支持体１０６,１０７が初期位置に向けて移動することが許容された状態となる。
【００９４】
そして、前記第２駆動モータ２０１の駆動によって左の保持部材１０８が保持姿勢から解除姿勢へ姿勢変位することに伴い、左の第２可動体１０２が第２初期姿勢から第２移動姿勢へ姿勢変位する。また、第２駆動モータ２０１の駆動によって右の保持部材１０８が保持姿勢から解除姿勢へ姿勢変位することに伴い、右の第２可動体１０２が第２初期姿勢から第２移動姿勢へ姿勢変位する。これにより、左右の第２可動体１０２,１０２は、第１可動体１０１の移動領域から退避する。
【００９５】
前記第２駆動モータ２０１の駆動に伴って、左右の保持部材１０８,１０８が解除姿勢となると共に、左右の第２可動体１０２,１０２が第２移動姿勢へ姿勢変位したら、該第２駆動モータ２０１を停止制御した後、第１作動機構１０４の第１駆動モータ１７５を、逆駆動制御して回転駆動を開始する。このとき、前記動力断続部材１９１が前記伝達許容姿勢に保持されていることにより、第２〜第６中間ギア１８２〜１８６および第１従動ギア１８７の回転が許容された伝達許容状態となっている。このため、第１駆動モータ１７５の逆駆動により支持シャフト１７６が逆回転すると、左右の支持体１０６,１０７が移動位置に停止していることで、第２〜第６中間ギア１８２〜１８６および第１従動ギア１８７の逆回転が許容される。従って、支持シャフト１７６の逆回転に連動して、左右の支持体１０６,１０７における支持ピン１８０,１８０が逆回転して、第１可動体１０１が、第１移動姿勢から第１初期姿勢に向けて回転しながら姿勢変位する。
【００９６】
前記第１可動体１０１が第１初期姿勢まで姿勢変位すると、第２〜第６中間ギア１８２〜１８６および第１従動ギア１８７の回転が規制されるため、伝達規制状態と同じ状態となる。このため、第１駆動モータ１７５の逆駆動制御を継続することで、左右の支持体１０６,１０７が、移動位置から初期位置に向けて回転しながら姿勢変位するようになる。このとき、左右の支持体１０６,１０７が移動位置から前記中途位置まで移動する間に、前記動力断続部材１９１が伝達許容姿勢から伝達規制姿勢に姿勢変位するため、第２係止突部１８８と第１係止突部１９４とが係止して、動力断続機構１９０は伝達規制状態となる。そして、第１駆動モータ１７５の逆駆動制御に伴い、第１可動体１０１が第１初期姿勢に保持された状態で、左右の支持体１０６,１０７が初期位置まで回転しながら姿勢変位する。そして、左右の支持体１０６,１０７が夫々の初期位置に到達したら、第１駆動モータ１７５の逆駆動制御を停止する。
【００９７】
前記第１駆動モータ１７５を停止制御した後、前記第２駆動モータ２０１を逆駆動制御して、作動部材２０２の回転によりカム部２０８を第２姿勢から第１姿勢へ回転させることで、左右の保持部材１０８,１０８は、前記コイルバネ２２３,２２３の復帰弾力により、解除姿勢から保持姿勢へ姿勢変位する。この際に、左の支持体１０６に設けられた規制ピン１５８と左の保持部材１０８に設けられた第１規制凹部２１４とが係止状態となると共に、右の支持体１０７に設けられた規制ピン１５８と右の保持部材１０８に設けられた第１規制凹部２１４とが係止状態となる。また、左右の第２可動体１０２,１０２は、第２移動姿勢から第２初期姿勢へ回転しながら姿勢変位する。これにより、可動演出装置１００は、初期状態となる。
【００９８】
従って、実施例の可動演出装置１００は、左右の支持体１０６,１０７に支持された第１可動体１０１が、装置本体１０３に対する該支持体１０６,１０７の移動に伴って位置変位すると共に、該支持体１０６,１０７に対して姿勢変位するよう構成されているので、該第１可動体１０１の動きが複雑になって視覚的な演出効果が高められ、遊技の興趣の向上を図り得る。しかも、第１作動機構１０４の第１駆動モータ１７５の動力の伝達を規制または許容する動力断続機構１９０の動力断続部材１９１を備えることにより、１つの第１駆動モータ１７５の駆動により、左右の支持体１０６,１０７の移動および第１可動体１０１の姿勢変位に時間差をもたせることができる。すなわち、左右の支持体１０６,１０７が初期位置から移動位置へ移動した後に、第１可動体１０１が第１初期姿勢から第１移動姿勢へ姿勢変位するようにしたり、第１可動体１０１が第１移動姿勢から第１初期姿勢に姿勢変位した後に、左右の支持体１０６,１０７が移動位置から初期位置へ移動するようにすることができる。従って、第１可動体１０１が変化に富んだ動きをするようになり、演出効果を高めることができる。
【００９９】
そして、動力断続機構１９０は、動力断続部材１９１に設けられた第１係止突部１９４と第１作動機構１０４の第３中間ギア１８３に設けられた第２係止突部１８８とが係止することで、第１可動体１０１に対する第１駆動モータ１７５の動力の伝達が規制されて、左右の支持体１０６,１０７に対して該第１可動体１０１を第１初期姿勢に適切に保持させ得る。また、動力断続部材１９１に設けられた第１係止突部１９４と第１作動機構１０４の第３中間ギア１８３に設けられた第２係止突部１８８との係止が解除することで、第１可動体１０１に対する第１駆動モータ１７５の動力の伝達が許容されて、左右の支持体１０６,１０７に対して該第１可動体１０１を第１初期姿勢および第１移動姿勢の間で適切に姿勢変位させ得る。そして、第２係止突部１８８と第１係止突部１９４との係止および係止解除は、右の支持体１０７の移動に伴って動力断続部材１９１を伝達規制姿勢および伝達許容姿勢の間で姿勢変位させるようになっているので、動力の伝達規制状態および動力の伝達許容状態の態様を適切なタイミングで切り換えることができ、第１可動体１０１を適切に姿勢変位させ得る。
【０１００】
また、左右の支持体１０６,１０７が初期位置にある場合に第１検出片１６０を検知する第１位置検出センサ２４１を備えているので、左右の支持体１０６,１０７を初期位置に適切に停止させることができる。また、第１可動体１０１の第１初期姿勢にある場合に第２検出片１８９を検出する第２位置検出センサ２４２を備えているので、第１可動体１０１が第１初期姿勢に適切に保持することができる。しかも、第２検出片１８９は、左右の支持体１０６,１０７が初期位置および移動位置の間を移動する際でも第２位置検出センサ２４２に検出されるように構成されているので、該左右の支持体１０６,１０７が初期位置および移動位置の間を移動している間に亘って第１可動体１０１を第１初期姿勢に保持することができる。
【０１０１】
そして、前記第２作動機構１０５における第２駆動モータ２０１の駆動に基づいて、左右の保持部材１０８,１０８を保持姿勢に姿勢変位させることで、左右の支持体１０６,１０７を、夫々の初期位置および移動位置の両位置において適切に保持することができる。すなわち、左右の支持体１０６,１０７を初期位置に停止させた場合に、該左右の支持体１０６,１０７に設けられた規制ピン１５８,１５８と左右の保持部材１０８,１０８に設けられた第１規制凹部２１４,２１４とが係合して、左右の保持部材１０８,１０８により該左右の支持体１０６,１０７を初期位置に保持できる。従って、初期位置の両支持体１０６,１０７の自重および両支持体１０６,１０７で支持された第１可動体１０１の自重による負荷が、第２作動機構１０５および第２駆動モータ２０１にかかることを防止し得ると共に、左右の支持体１０６,１０７および第１可動体１０１を安定的に停止保持し得る。一方、左右の支持体１０６,１０７が移動位置に停止させた場合に、該左右の支持体１０６,１０７に設けられた規制ピン１５８,１５８と左右の保持部材１０８,１０８に設けられた第２規制凹部２１５,２１５とが係合して、左右の保持部材１０８,１０８により該左右の支持体１０６,１０７を移動位置に保持できる。従って、移動位置の両支持体１０６,１０７および両支持体１０６,１０７で支持する第１可動体１０１の自重による負荷が、第２作動機構１０５および第２駆動モータ２０１にかかることを防止し得ると共に、左右の支持体１０６,１０７および第１可動体１０１を安定的に停止保持し得る。
【０１０２】
一方、第２駆動モータ２０１の駆動に基づいて左右の保持部材１０８,１０８を解除姿勢に姿勢変位させると同時に、左右の第２可動体１０２,１０２が第２初期姿勢から第２移動姿勢へ姿勢変位する。そして、左右の保持部材１０８,１０８を解除姿勢としてから、第１駆動モータ１７５の駆動に基づいて、左右の支持体１０６,１０７が初期位置および移動位置の間を移動すると共に、第１可動体１０１が第１初期姿勢および第１移動姿勢の間を姿勢変位する。従って、第１可動体１０１および各第２可動体１０２,１０２が時間差をおいて姿勢変位するようになるので、視覚的な演出効果が高められて遊技の興趣の向上を図り得る。すなわち、第１可動体１０１を第１初期姿勢からから第１移動姿勢へ姿勢変位させる場合、および該第１可動体１０１を第１移動姿勢から第１初期姿勢へ姿勢変位させる場合は、第２駆動モータ２０１の駆動により第２可動体１０２,１０２が姿勢変位した後、第１駆動モータ１７５の駆動により第１可動体１０１が姿勢変位し、更に第１可動体１０１が姿勢変位した後に、第２駆動モータ２０１の駆動により第２可動体１０２,１０２が姿勢変位するので、各可動体が時間差をもって姿勢変位して視覚的な演出効果を高めることができる。
【０１０３】
〔変更例〕
本発明に係る遊技機は、実施例に例示の形態に限らず種々の変更が可能である。
（１）第１可動体を支持する支持体は、１つまたは３つ以上を備えていてもよい。
（２）第１可動体を支持する支持体は、支持シャフトに回転可能に支持されたものに限らず、ガイド部に沿って直線状または曲線状に往復スライド移動する形態であってもよい。
（３）第１可動体の姿勢変位の方向は、上下方向に限らず、水平方向(左右方向、前後方向)や斜め方向であってもよい。
（４）第２可動体は、第１可動体を挟んだ両側に１つずつ設けた構成に限らず、１つまたは３つ以上を備えていてもよい。また、第２可動体は、第１可動体の上側または下側に配設してもよい。
（５）第２可動体は、支軸部により回転しながら姿勢変位するものに限らず、ガイド部に沿って往復移動する形態や、これ以外の形態であってもよい。
（６）保持手段は、支持軸に支持されて該支持軸を中心として回転する形態に限らず、支持体に対して近接・離間する方向へスライド移動する形態であってもよい。
（７）支持体に設けられる第１係止部を凹状とすると共に、保持手段に設けられる第２係止部および第３係止部を凸状として、第１係止部と、第２係止部および第３係止部とを、保持手段の姿勢変位に基づいて係脱するよう構成してもよい。
（８）動力断続部材に設けられた第１係止部と係止する第２係止部は、第３中間ギアに限らず、該第３中間ギア以外の中間ギアや、従動ギアに設けてもよい。
（９）第１作動機構におけるギアの配設数や配設態様は、実施例で例示した配設数や配設態様に限るものでは、様々に変更することが可能である。
（１０）各駆動手段は、ロータリソレノイドやロータリアクチュエータ等であってもよい。
（１１）実施例では、演出制御基板により可動演出装置を作動制御するようにしたが、メイン制御基板により可動演出装置を作動制御するようにしてもよい。
（１２）実施例では、遊技機としてのパチンコ機を示したが、遊技機はパチンコ機に限られるものではなく、アレンジボール機やスロットマシン等であってもよい。
【符号の説明】
【０１０４】
１００ 可動演出装置
１０１ 第１可動体(可動体)
１０３ 装置本体
１０４ 第１作動機構(動力伝達手段)
１０６,１０７ 支持体
１６５ 第１装飾部材
１６６ 第２装飾部材
１６７ 第１発光基板(発光基板)
１６７ａ 第１面(面)
１６７ｂ 第２面(面)
１７０ａ 第１ＬＥＤチップ(ＬＥＤ)
１７０ｂ 第２ＬＥＤチップ(ＬＥＤ)
１８１ 第２主動ギア(主動ギア)
１８３ 第３中間ギア(中間ギア)
１８７ 第１従動ギア(従動ギア)
１７５ 第１駆動モータ(駆動手段)
１８８ 第２係止突部(第２係止部)
１９０ 動力断続機構(動力断続手段)
１９１ 動力断続部材
１９４ 第１係止突部(第１係止部)
【図１】
0006370763.tif 000002
【図２】
0006370763.tif 000003
【図３】
0006370763.tif 000004
【図４】
0006370763.tif 000005
【図５】
0006370763.tif 000006
【図６】
0006370763.tif 000007
【図７】
0006370763.tif 000008
【図８】
0006370763.tif 000009
【図９】
0006370763.tif 000010
【図１０】
0006370763.tif 000011
【図１１】
0006370763.tif 000012
【図１２】
0006370763.tif 000013
【図１３】
0006370763.tif 000014
【図１４】
0006370763.tif 000015
【図１５】
0006370763.tif 000016
【図１６】
0006370763.tif 000017
【図１７】
0006370763.tif 000018